(57)【特許請求の範囲】
【請求項１】
撮像素子を挿入部に有する電子内視鏡において、
前記撮像素子と電気的に接続される信号ケーブルと内蔵物とが挿通され、前記電子内視鏡から外部に延出された外部機器と連結するための連結コードと、
前記連結コードの末端側に接続し前記外部機器に接続するためのコネクタ部と、
前記連結コードの末端側と前記外部機器に連結するためのコネクタ部との間の折れ止め部に設けられ、前記信号ケーブルと前記内蔵物とを収納する内空を形成する壁部を有する筒状部材と、
前記筒状部材の壁部を切り欠いて設けられた窓部と、
前記信号ケーブルから放射されるノイズを低減するために、前記信号ケーブルを覆うフェライトコアと、
前記内空内の前記内蔵物が配置されている領域に前記フェライトコアが移動することを防ぐとともに、少なくともフェライトコアの一部が前記窓部に配置されるように前記フェライトコアの位置を規制する係止手段と、
を有することを特徴とする電子内視鏡。
【発明の詳細な説明】
【０００１】
【産業上の利用分野】
本発明は信号ケーブルを介してのノイズの放射等を抑制する手段を設けた電子内視鏡に関する。
【０００２】
【従来技術】
内視鏡装置において、ビデオプロセッサや光源装置等から発生したノイズが、内視鏡先端部に内設する固体撮像素子に結線した信号ケーブルを伝わり内視鏡に影響を与える。そこで、従来はビデオプロセッサや光源装置等の周辺機器において、放射ノイズを低減させたり、周辺機器のノイズによる誤動作を防止していた。
【０００３】
【発明が解決しようとする問題点】
従来、電子内視鏡ではリペアを考慮して信号ケーブルを電子内視鏡の長さよりも長くしている。そして、上記信号ケーブルの余長分をどこか電子内視鏡内部で何かに巻き付けて格納されたり、または、まとめて格納されていた。
【０００４】
従って、上記信号ケーブルに電流が流れると上記信号ケーブルを巻き付けたりした格納部分から周知のごとく磁界が発生し、放射ノイズの発生源となる。
従来は、周辺機器で放射ノイズの低減対策を行ってきたが、前記格納部がビデオプロセッサよりも電子内視鏡の先端部側にあると、ビデオプロセッサ等とのコネクタ部からのノイズの放射或いは侵入を有効には防止しにくくなり、侵入したノイズは電子内視鏡先端部に伝わり易い。
【０００５】
電子内視鏡の先端には固体撮像素子が内蔵されているので、微弱な映像信号にノイズが重畳して内視鏡画像の画質を低下させる原因となる可能性がある。
また、電子内視鏡から延出されたユニバーサルコード或いは連結コードの末端にはコネクタが設けてあり、このコネクタには照明光を伝送するライトガイドファイバの端部が設けてあり、光源装置に接続される。
【０００６】
また、このコネクタには固体撮像素子と接続された信号ケーブルの末端が接続されるコネクタ受けが設けてあり、このコネクタ受けに接続されるコネクタを設けた接続ケーブルを介してビデオプロセッサに接続される。
【０００７】
従って、上記コネクタが光源装置に接続された場合、コネクタ受けは光源装置の付近に配置されるため、例えば撮像素子を駆動するドライブ信号が光源装置内部の電源回路側に放射され、ノイズとなって光源装置内の制御回路等、内視鏡装置を構成する周辺機器に影響を及ぼす可能性がある。逆に光源装置内の電源回路等からのノイズが信号ケーブルに重畳し易くなり、このノイズが信号ケーブルに重畳した場合、固体撮像素子による微弱な映像信号にノイズとなってしまう。
【０００８】
又、信号ケーブルにノイズが重畳すると、信号ケーブルがアンテナとなり周囲に放射され、内視鏡装置を構成する周辺機器にノイズを与える可能性がある。
【０００９】
本発明は上述した点に鑑みてなされたもので、信号ケーブルを介してのノイズの放射等を低減し、内視鏡装置の周辺装置等を誤動作させない電子内視鏡を提供することを目的とする。
【００１０】
【問題点を解決する手段及び作用】
本発明による電子内視鏡は、撮像素子を挿入部に有する電子内視鏡において、
前記撮像素子と電気的に接続される信号ケーブルと内蔵物とが挿通され、前記電子内視鏡から外部に延出された外部機器と連結するための連結コードと、前記連結コードの末端側に接続し前記外部機器に接続するためのコネクタ部と、前記連結コードの末端側と前記外部機器に連結するためのコネクタ部との間の折れ止め部に設けられ、前記信号ケーブルと前記内蔵物とを収納する内空を形成する壁部を有する筒状部材と、前記筒状部材の壁部を切り欠いて設けられた窓部と、前記信号ケーブルから放射されるノイズを低減するために、前記信号ケーブルを覆うフェライトコアと、前記内空内の前記内蔵物が配置されている領域に前記フェライトコアが移動することを防ぐとともに、少なくともフェライトコアの一部が前記窓部に配置されるように前記フェライトコアの位置を規制する係止手段とを有し、信号ケーブルを介してのノイズの放射等を低減化することにより、周囲への放射ノイズを低減化して誤動作の発生等を抑制するようにしている。
【００１１】
【実施例】
以下、図面を参照して本発明の実施例を具体的に説明する。
【００１２】
図１に示す内視鏡装置１０は第１実施例の電子内視鏡２と、この電子内視鏡２が接続された照明光を供給する光源装置２０と、電子内視鏡２が接続コード２３を介して接続された信号処理を行うビデオプロセッサ２４と、このビデオプロセッサ２４から出力される映像信号が入力されることにより、対応する内視鏡画像を表示するカラーモニタ２５とから構成される。
【００１３】
この電子内視鏡２は、可撓性を有する細長の挿入部３、この挿入部３の後端に形成された太幅の操作部４、この操作部４の側部から延出された可撓性を有する連結コード（ユニバーサルコードともいう）５とから構成される。挿入部３はポリウレタン等の可撓性の樹脂で被覆されるとともに、先端部分には硬質の部材で形成された先端硬質部７が設けられており、この先端硬質部７に隣接して軟らかい弾性体で被覆された湾曲部６が設けられている。
【００１４】
先端硬質部７には照明光学系５２ａ、観察光学系５２ｂ、送気送水ノズル、鉗子口出口等が設けられている。また、観察光学系５２ｂの結像位置には図示しないＣＣＤ等の撮像素子が設けられている。先端硬質部７には挿入部３の内部を延びている鉗子チャンネルの一方の開口が設けられているとともに、操作部４の鉗子口カバー２８には鉗子チャンネルの他方の開口が鉗子開口部２７として設けられており、この鉗子開口部２７には必要に応じて鉗子栓２９が取り付けられている。
【００１５】
操作部４には、吸引を行う際に使用する管路切り換え装置８、送気送水を行う際に操作する送気送水バルブ９、さらに撮像素子から出力された映像信号を処理するためのリモートスイッチ９４が取り付けられている。
【００１６】
さらに操作部４には硬い樹脂製のアングルノブ１１が取り付けられており、これらを操作することによって湾曲部６を上下、左右方向に湾曲させることができる。また湾曲部６を湾曲固定状態に保ったり、湾曲固定状態を開放するときに使用する硬い樹脂製のエンゲージレバー１２も取り付けられている。この操作部４の挿入部３寄りの部分には術者が把持するグリップ部１８４が設けてある。
【００１７】
連結コード５はポリウレタン等の樹脂で被覆されており、操作部４から延出される基端部分は折れ止め１８３が設けてある。また、連結コード５の先端（或いは末端）には硬い樹脂で形成される内視鏡用コネクタ（以下、単にコネクタと記す）１が取り付けられている。このコネクタ１の後端と連結コード５の末端とが接続される部分に折れ止め機能を有する折れ止め１４９が形成されている。
【００１８】
この実施例ではこの折れ止め１４９の内部にコネクタ１の後端と連結コード５の末端とを接続する接続部９３（図６、図７参照）を設け、この接続部９３内に信号ケーブル９７へのノイズの侵入等を低減化するノイズ低減化手段となるフェライトコア３０を設けていることが主要な特徴となっている。
【００１９】
上記コネクタ１には高周波漏れ電流を焼灼用電源に戻すためのアース端子１３、送水タンク１４に接続して送水を行うための金属製の送気口金１５、送水口金１６、図示していない吸引ポンプに接続して、吸引を行う吸引口金１７、光源装置２０と接続される電気接点１８、そして先端面にはライトガイド口金５８に固着されたライトガイドの端部１９と、流体口金支持具６７に支持された流体口金２６が設けられている。
【００２０】
このライトガイドの端部１９を光源装置２０のコネクタ受け２１に接続することによって、端部１９に照明光が供給され、この照明光はライトガイドファイバ９５（例えば図３参照）により伝送されて先端硬質部７の照明光学系５２ａから照明光が出射され、前方の被写体側が照明される。また、ライトガイドの端部１９に隣接する流体口金２６には、光源装置２０内のポンプにより加圧空気が送られる。
【００２１】
さらにコネクタ１の側面には、内部に信号接点１４５が突設された電気コネクタ部２２が設けられており、この部分に接続コード２３のコネクタ受け２３Ａを接続してビデオプロセッサ２４と接続することで、電子内視鏡２内の信号ケーブル９７（図６、７、８参照）を介して撮像素子とビデオプロセッサ２４とを電気的に接続することができる。そして、撮像素子にドライブ信号を印加し、撮像素子から出力される光電変換された撮像信号に対する信号処理を行い、映像信号に変換してカラーモニタ２５に出力し、内視鏡画像を表示することができるようにしている。
【００２２】
図２，図３，図４に示すように、コネクタ１はコネクタケース３１を備えており、またこのコネクタケース３１には、連結コード５の先端側に開口し、光源装置２０に接続される開口となるする第１開口部３２、連結コード５の基端側に開口し、操作部４と接続される側に開口する第２開口部３３、ビデオプロセッサ２４と接続される側方側に開口する第３開口部３４が設けられている。このコネクタケース３１は例えば樹脂の一体成形により形成されている。このコネクタケース３１内にはライトガイドファイバ９５、電線４９、チューブ等を通す開口或いは溝部を設けたベース３５が取り付けてある。このベース３５の形状を図９に示す。
【００２３】
図２に示すように電気コネクタ部２２はコネクタケース３１に固定されるベース本体４２の開口にその基端側が嵌挿され、その座面２２ａを螺子１７３で固定している。また、ベース本体４２との間にＯリング１７２を介装して水密構造にしている。この座面２２ａから（コネクタ１の側方に）突出する側周面にはシール部２２ｂが形成されている。
【００２４】
また、図５に示されるように電気接点１８が嵌入される電気接点嵌入孔４０付近のコネクタケース３１には、凸部４１が数カ所（図示例では二カ所）設けてあり、また、名版１１９、固定部３１ｆも凸部となっている。また、名版１１９は螺子１７５により名版固定部１４１に固定される。
【００２５】
図６は基端が電子内視鏡２の操作部４に接続された連結コード５と、光源装置２０に差し込まれるコネクタ１とを連結し、信号ケーブルが挿通された接続部９３の断面図である。図８では横断面で接続部の構造を示している。
【００２６】
コネクタ１の後端の折れ止め１４９にはその内側に折れ止めインサート金物１４８が設けられている。この折れ止めインサート金物１４８の内部に略円筒形状の接続部（或いは接続部本体）９３が収納され、その両端が固定されている。つまり、連結コード側の端部は螺子１６２により連結コード口金１０２に固定され、図２に示すようにコネクタ側の端部は螺子１６３で口金固定板４７に固定されている。
【００２７】
この接続部９３内には金属網管９６で被覆された信号ケーブル９７を挿通した肉厚の円筒形状のフェライトコア３０が接続部９３に内設してある。フェライトコア３０は熱収縮チューブ１６１で被覆することにより、フェライトコア３０を信号ケーブル９７に固定している。
【００２８】
このとき、図６に示すように、信号ケーブル９７はフェライトコア３０にループさせて、信号ケーブル９７を連結コード５よりも若干長くしても構わない。そして、リペアなどを行った場合に、信号ケーブル９７が短くなった場合には図７のようにしても良い。或いは最初から図７のようにループにしない状態でフェライトコア３０を通すようにしても良い。
この信号ケーブル９７の一端（内視鏡本体側）は撮像素子と、他端側は図８に示すように口金固定板４７の電線信号ケーブル挿通孔４７ａを電線４９と共に通されて、（この電線４９と共に）電気コネクタ部２２内の図示しないプリント基板を介して信号接点１４５と接続される。
【００２９】
また、図９に示すように、（リモートスイッチ９４と電気コネクタ部２２のプリント基板とを接続する）電線４９、送気チューブ６２、送液チューブ６５及びライトガイドファイバ９５と干渉しないようにフェライトコア３０は接続部９３内に配設されている。また、接続部９３に窓９３ａを設けて接続部９３内のスペースを多くとることができるようにしている。
【００３０】
図１０に示すように、光源装置側となる第１開口部３２の方向から見てベース３５は筒状に形成されており、電線用溝部３５ａ、電線用溝部３５ｂ、溝部３５ｃを有している。
【００３１】
図２，図３，図４の第１開口部３２及び第２開口部３３には、それぞれ第１本体ブロック３６及び第２本体ブロック３７が嵌挿されているとともに、ベース本体４２はベース３５に螺子１７０により固定され、第３開口部３４に嵌挿し、Ｏリング４３により水密に保たれている。第１本体ブロック３６は固定螺子３８によりベース３５に固定されている。
【００３２】
また、第１開口部３２の開口端には、Ｃ状のリング受け４４がＯリング４５により水密に嵌挿されている。またＣ状のリング４６がＣ状のリング受け４４に嵌着され、このＣ状のリング４６によってコネクタ１は光源装置２０に対して弾性係合するようになっている。
【００３３】
図３に示すように、第２本体ブロック３７は、螺子１１３によりベース３５に固定し、また第２開口部３３の開口端にＯリング４８により水密に嵌挿する口金固定板４７とともに螺子１６５により第２本体ブロック３７に固定している。そして、ベース３５及び第１本体ブロック３６、第２本体ブロック３７によってコネクタ１は形成されている。
【００３４】
ベース本体４２には、電気コネクタ部２２との間に識別ピン１１５（図２、図３、６、７参照）及び防水キャップ取付指標１１６（図３参照）が嵌挿されている。この識別ピン１１５及び防水キャップ取付指標１１６は、コネクタケース３１に形成された切り欠き部３１ｅに嵌挿し、電気コネクタ部２２をベース４２に螺子１７３による螺合により、識別ピン１１５と防水キャップ取付指標１１６の固定も行われる。
【００３５】
また、第２本体ブロック３７はベース３５を包み込むようにし、図１１に示す形状にして第２本体ブロック３７には電線４９、流体チューブ５９、ライトガイドファイバ９５が通るところだけ凹部３７ｅが設けてある。
第２本体ブロック３７には、図１１に示すように強度上及び成型上、送気口金孔３７ａ、送水口金孔３７ｂは、長手方向には貫通していない。
【００３６】
また図２に示すように、ベース３５の底面には、この底面をシールドするシールド板３９が設けられている。図１２に示すシールド板３９は、耳部３９ａが折り曲げられて図２に示すようにベース３５の電線用溝部３５ａ，３５ｂもシールドするようにして、螺子１７６によりベース３５の底面に固定する。
【００３７】
また、図２に示すベース本体４２に固定された電気コネクタ部２２の内部には図示しないプリント基板が収納されており、このプリント基板には、連結コード５に内装された電線４９，５４、信号ケーブル９７の先端が結線されている。
【００３８】
図２に示すようにこれらの内で例えば電線４９は十分に余裕を持った長さを有しており、その中途部は螺子によって一緒に係着しているとともに、一方の電線４９が螺子１３４によって、また他方の電線５４が螺子１３６によってそれぞれ係着している。その場合、電線４９はゴム板５０及び押さえ板５１によって押圧固定されている。
【００３９】
そして、電線５４の螺子１３６による押圧固定部と、螺子１３５によるシールドディスク１７７に設けられた押圧固定部との間の部分は、電気コネクタ部２２の基端部に設けられたシールド筒５３に巻回されて、また電線４９の螺子１３４による押圧固定部とシールドディスク１７７の螺子１３５による押圧固定部との間の部分は折り畳まれてコネクタケース３１の空間部に収納されている。螺子１３５による押圧固定部にも保護用のゴム板１７８及び押さえ板１７９が用いられている。
【００４０】
また、電線５４はベース３５に設けられた電線用溝３５ｂを挿通し、さらに第１本体ブロック３６に設けられた第１電線挿通孔３６ａを挿通している。また、電線４９はベース３５に設けられた電線用溝部３５ａに挿通され、第２本体ブロック３７を通り口金固定部４７の第２電線挿通孔５５に配設され、操作部４に設けられたリモートスイッチ９４に結線している。
【００４１】
信号ケーブル９７もコネクタ１内で電線４９と同様に挿通等しても良い。或いはリモートスイッチ９４側に接続されるこの電線４９と接続部９３内で分離してフェライトコア３０内を通すようにしても良い。
【００４２】
図３に示すようにアース端子１３はコネクタケース３１のアース端子孔３１ｃにＯリング１４２により水密に嵌挿し、第２本体ブロック３７に螺合している。図５に示すように、電気接点１８は、コネクタケース３１の内周面に設けられた接点固定板（図３に示された）５７により、コネクタケース３１に固定している。この場合、電気接点１８はＯリング１１４によりコネクタケース３１との間で水密に保たれている。また、接点固定板５７には電線５４のより分け部５７ａが設けられており、このより分け部５７ａに電線５４を嵌入することにより、電線５４をより分けかつ保持している。
【００４３】
図４に示されるように、送気管路系は、流体口金２６、流体チューブ５９、送気口６０、送気パイプ６１、送気口金１５、送気チューブ６２により構成され、一方送水管路系は、送水口金１６、送水チューブ６３、送水口６４、送液チューブ６５により構成されている。また、送水チューブ６３は密巻きコイル６６で被覆されている。また、送気チューブ６２・送液チューブ６５とも操作部４の図示されていない送気・送水シリンダに接続している。
【００４４】
また、図１３（Ａ），（Ｂ）に示すように、送気管路１６０を弾性部材１２３で構成している。なお、この弾性部材１２３には方向性があるため、図１４（Ａ），（Ｂ）に示すように、送気口金後１５、側送気口金１５９及び送気口６０にはそれぞれ切り欠き１５ｄ，１５９ｄ，６０ｄが設けてある。
【００４５】
図３，図４に示すように、流体チューブ５９は一端が図１０の溝部３５ｃに沿って流体口金２６に嵌入しており、その他端が送気口６０に接続している。
図３に示すように流体口金２６は、第１本体ブロック３６に嵌合しており、筒状の流体口金支持具６７が螺合、外嵌し、さらに流体口金支持具６７に設けられた図示しない治具を装着するための凹部６７ａ（以下、かにめ穴と称す）に治具を装着し、流体口金支持具６７を回転させることにより、流体口金２６及びＣ状のリング受け４４が第１本体ブロック３６に固定される。
【００４６】
その場合、流体口金支持具６７とＣ状のリング受け４４とはＯリング６８により水密が保たれており、流体口金２６と流体口金支持具６７とはＯリング６９により水密が保たれている。
図３に示すように、ライトガイド口金５８はＯリング１４０により水密に保たれ、第１本体ブロック３６に螺合している。
【００４７】
図４に示すように、送水口６４は、口金固定板４７に送水口固定ナット７０により固定されている。この送水口固定ナット７０に設けられた送水口固定ナット７０を回転させるための治具が装着できる溝７０ａ（以下、すり割りと称す）に治具を装着し、送水口固定ナット７０を回すことにより、送水口６４が口金固定板４７に固定される。送水口６４の操作部４側の端部には送液チューブ６５の端部が嵌入している。
【００４８】
そして、送液チューブ６５のこの端部にテーパ管７２が外嵌され、かつテーパ管７２をテーパ締め管７３によって締め付けることにより、送液チューブ６５が送水口６４に接続している。また、送水口６４の電気コネクタ部２２側の端部に、送水チューブ６３が嵌入し、かつ糸縛り接着１５６により固定されている。
【００４９】
送気口６０と送気チューブ６２との接続、流体口金２６と送気チューブ６２との接続、及び送水チューブ６３と送水口金１６との接続についても同様である。テーパ締め管７３を締め付ける際、送気口孔４７ｂは送気口６０の回転止めを兼ねるように、その部分は凸部４７ｅとした。
【００５０】
図２に示すように吸引管路は１つの部材（吸引パイプ７４）で構成している。図１１に示すように、第２本体ブロック３７の吸引パイプ取付孔３７ｄは長円になっている。図２に示すように吸引口金１７は吸引パイプ７４に螺合している。そして吸引口金１７と吸引パイプ７４との間にＯリング１３９により水密を保持し、コネクタケース３１の吸引口金孔３１ｄと吸引口金１７との間はＯリング１３８で水密を保持する構造にしている。
【００５１】
吸引パイプ７４の操作部４側の端面には図示されない吸引シリンダと接続する吸引チューブ７６の一端面が嵌入し、テーパ管７７と、テーパ締め管７８により固定されている。
また、吸引パイプ７４を口金固定板４７に固定する部材は、流入防止板７９、吸引パイプ支持板８０、吸引パイプ固定板８１とで構成されている。
【００５２】
また、流入防止板７９に図１５に示すような把持部７９ａを設けてもよい。
図２，図１８に示すように、送気口金１５はフランジ部１５ａと先端開口部１５ｂとを有しており、コネクタケース３１の送気口金孔３１ａと第２本体ブロック３７の送気口金孔３７ａとに送気口金１５が送気口金固定具８３が螺着された状態で貫通している共に、フランジ部１５ａが第２本体ブロック３７に当接している。
【００５３】
また、送気口金固定具８３が先端開口部１５ｂにＯリング８４により水密に外嵌され、かつコネクタケース３１の送気口金孔３１ａとの間に介装したＯリング８５により水密に保持している。そして、送気口金固定具８３のかにめ８３ａに治具を装着し、送気口金固定具８３を回転させることにより、送気口金１５をコネクタケース３１及び第２本体ブロック３７に固定している。
【００５４】
また、送水口金１６はフランジ部１６ａと先端開口部１６ｂとを有しており、コネクタケース３１の送水口金孔３１ｂと第２本体ブロック３７の送水口金孔３７ｂとに送水口金１６が貫通しているとともに、フランジ部１６ａが第２本体ブロック３７に当接している。また、送水タンク側口金ストッパ８６が送水口金１６にＯリング８７により水密に嵌挿し、かつコネクタケース３１にＯリング８８により水密に嵌挿している。
【００５５】
さらに、送水口金固定ナット８９を送水口金１６に螺合することにより、送水タンク側口金ストッパ８６を送水口金固定ナット８９により固定している。このとき、送水口金固定ナット８９により送水口金１６、送水タンク側口金ストッパ８６の位置出しが行われる。
【００５６】
図１８〜図２１に示すようにこれらの送気口金１５及び送水口金１６は、送水タンク側送気チューブ９０及び送水タンク側送水チューブ９１を介して送水タンク１４に接続されている弾性部材からなる送水タンク側口金９２に着脱自在に接続できるようになっている。
【００５７】
送気口金１５及び送水口金１６の送水タンク側口金９２との着脱側端面１５ｃ、及び１６ｃは丸めている。
また、送水タンク側口金９２の送気管路１０６、送水管路１０７の内径は、送気口金１５及び送水口金１６の内径よりも大きくした。
【００５８】
また、図２２に示すように、フェライトコア３０に金属網管９６を被覆した信号ケーブル９７が挿通しており、上記金属網管９６の端部（一端面）９６ａはフェライトコア３０の内部に位置する構造にしている。
【００５９】
そして、内視鏡先端部に内設する固体撮像素子に結線している信号ケーブル９７からの放射ノイズの低減を可能とする内視鏡を提供する目的を達成している。この目的を達成する構造は図２２に示すものでも良いし、図２３（Ａ），（Ｂ）に示す構造のものでも良い。
【００６０】
つまり、図２３（Ａ）に示すものは、上記フェライトコア３０内部の上記金属網管９６の端部９６ａの位置は、金属網管９６の挿入方向からみてフェライトコア３０の手元端部近傍に位置している。
【００６１】
図２３（Ｂ）に示すものは、上記フェライトコア３０の内部の上記金属網管９６の端部９６ａの位置は、金属網管９６の挿入方向からみてフェライトコア３０の遠位端部近傍に位置している。
【００６２】
また、図２４に示すように、金属網管９６を被覆した信号ケーブル９７がフェライトコア３０を挿通している。金属網管９６はフェライトコア３０も被覆している。さらに、金属網管９６の端面９６ａは熱収縮チューブ１０５で固定する構造となっている。
【００６３】
つまり、信号ケーブルに金属網管を被覆し、上記信号ケーブルを被覆した上記金属網管でフェライトコアを被覆し、熱収縮チューブを収縮させてフェライトコア被覆側金属網管端部を固定する構造にしても良い。
【００６４】
そして、内視鏡先端部に内設する固体撮像素子に結線している信号ケーブルを介して放射等されるノイズの低減を可能とする電子内視鏡を提供する目的を達成している。
上記熱収縮チューブ１０５の材質としてＦＥＰ，ＴＦＥ，ＰＦＡ，シリコンゴムなどを採用しても良い。
【００６５】
また、図２〜図４に示すように送気及び送水口金１５，１６、吸引口金１７、アース端子１３は、電気的に内視鏡本体側と内視鏡制御装置とを着脱可能に接続する内視鏡用コネクタの軸の長手方向の断面及び長手方向に垂直な方向の断面において、上記送気及び送水口金１５，１６、吸引口金１７、アース端子１３の口金が同一断面上に存在していない構造にしている。
【００６６】
つまり、送気口金、送水口金、吸引口金を少なくとも２つ以上具備し、内視鏡本体と内視鏡制御装置を着脱自在に接続する内視鏡コネクタにおいて、前記吸引口金、送気口金及び送水口金がそれぞれ異なる前記内視鏡コネクタの長手軸に平行な平面上に配設され、前記送気口金と送水口金はそれぞれ異なる内視鏡コネクタの長手軸に垂直な平面上に配設している。
【００６７】
この構造に対する背景を以下に説明する。
従来、特開平２−７４９１３に示されるような内視鏡用コネクタがある。このコネクタを図４９で示し、その縦断面図を図５０に、図５１のＸ−Ｘ断面及びＺ−Ｚ断面を図５２（Ａ），（Ｂ）にそれぞれ示す。ここで、連結管４０１は折れ止め４０２を介してコネクタ本体４０７と接続されている。
【００６８】
図５０に示すようにコネクタ本体４０７には接続管４２３を介してライトガイド口金管４２７が前方に突設されると共に、その周囲には送気送水コネクタ４１７、アース端子４３２、吸引口金４３８、内外連通弁４１１が側方に突設され、より具体的にはコネクタ本体４０７への組み付け位置は、長手方向において前記内外連通弁４１１と前記送気送水コネクタ４１７が、また前記吸引口金４３８と前記アース端子４３２が同一平面上にある。
【００６９】
また図５１（Ａ）に示されるように、前記送気送水コネクタ４１７と前記アース端子４３２が、図５１（Ｂ）に示されるように前記内外連通弁４１１と前記吸引口金４３８が同一平面上にある。
この場合、コネクタ内のそれぞれの管路は干渉してはいけないので、口金が同一平面上にあるとどうしてもコネクタが大型化してしまう。
【００７０】
なお、これらの図において、４０３、４０４、４０８、４１２、４１６、４２９、４３３、４３７、４４２はＯリング、４０５は口金、４０６はライトガイドファイバ、４０９は後側ケース、４１０は後側継ぎ管、４１３はビス、４１４は送気管、４２０は先側ケース、４３０は先側継ぎ管、４３１はナット、４３４はガイドチューブ、４３６は突起部、４３９は受け部材、４４０は吸引管、４４１は長溝である。
【００７１】
これに対して、上記口金類が組み付いていてもコネクタを小型化することを目的として図２〜４に示した構造にして、この目的を達成している。この構造は以下のようにも言える。内視鏡コネクタは、内視鏡用コネクタの軸の長手方向の断面及び長手方向に垂直な方向の断面上で、同一断面上に送気口金、送水口金、吸引口金、アース端子等、それぞれの口金が存在していない。
【００７２】
また、図２〜図４に示すように、上記吸引口金と上記送気口金及びまたは上記送水口金は略対向する位置に設けている。
つまり、上記吸引口金と上記送気口金及びまたは上記送水口金と吸引口金は略対向する位置に組み立てるようにしている。
【００７３】
図２５に示すように、コネクタ１を光源装置２０に装着したとき、アース端子１３は光源装置設置面に略平行なコネクタ１の水平軸Ｏより上側に設けられている。つまり、コネクタ１を光源装置２０に装着したとき、アース端子１３は光源装置設置面に略平行なコネクタ１の水平軸Ｏより上側に組み立てるようにしている。なお、図２５においてアース端子１３を水平軸Ｏ方向にした場合を点線で示している。
このようにしてコネクタを小型化する目的を達成している。
【００７４】
また、この実施例では連結チューブが削れることなく、タンク内の液体を噴出させないことを目的として、この目的を達成するために内視鏡用送水タンクは、連結チューブとコネクタ側送気口金、送水口金とを接続した状態から連結チューブを取り外すとき、第１，第２の凸状フランジよりなる第１の保持手段により送気管路の一端が送気口金から取り外され、かつ送水口金と送水管路の一端とが接続状態を保つ位置に連結チューブは停止するようにし、また、上記連結チューブ装着の際、上記送水口金が接続され、上記送気口金の一端が上記送気管路に接続する前に、第３，第４の凸状フランジよりなる第２の保持手段により上記連結チューブは停止するような構成にしている。
【００７５】
また、上記第１の保持手段と上記第２の保持手段とを送水口金に一体に設けてあり、第１の保持手段は、上記送水口金の上端部に上記送水口金の軸に対して略垂直に、かつ対向する位置に第１，第２の凸状フランジが存在し、第２の保持手段は第１の保持手段の下端側に第１保持手段と略垂直方向に対向する第３，第４の凸状フランジより構成し、また第１の保持手段の第１，第２の凸状フランジの幅を、第２の保持手段の第３，第４の凸状フランジの幅より狭している。
【００７６】
まず、このようにした背景を説明する。
従来、特願平５−３２３８１９では図５２に示すように、送水タンク側口金１６と内視鏡側送気送水口金１５とを接続した状態から送水タンク側口金を引き抜いたとき、送気管路１０６の一端が送気口金１５から取り外され、送水口金１６と送水管路１０７の一端とが接続状態を保つ位置に送水タンク側口金を停止する停止手段を設けることにより、送水タンク内の液体を噴出することを防止していた。
【００７７】
送水タンク側接続部と内視鏡側接続部とを接続した状態から送水タンク側口金を引き抜いたとき、送気口金１５の一端が送気管路１０６から取り外され、送水管路１０７と送水口金１６の一端とが接続状態を保つ位置に送水タンク側口金を停止する停止手段を設けることにより、送水タンク内を加圧する圧力の高くなった空気を図５２の矢印で示すように逃がして送水タンク内の水の噴出を防止していた。
【００７８】
しかし、この方法は水の噴出を防止できていたが、送水タンク側口金の着脱の際、弾性部材よりなる送水タンク側口金が送気口金１６により削られることが少々あった。なお、図５２において、符号１５７ａはかにめ穴である。この他、図５２ではこの実施例（図１８〜２１）との比較を容易にするために、殆どの部材に対し、この実施例と同じ部材には同じ符号を付し、その説明を省略する。
【００７９】
上記従来例を改良したこの実施例の構成を図面を参照して具体的に説明する。
図１６に示す如く連結チューブ９２は送気管路１０６と送水管路１０７とを有し、連結チューブ９２には、その上部に設けられた、後述する送水口金１６が嵌入する円筒状に穿設された凹嵌部１０８ａを有するストッパ１０８と、このストッパ１０８の下方周囲にインサートされた送水口金インサート部１１０と、送水管路１０７に平行に配設した送気管路１０６と、この送気管路１０６の下方周囲にインサートされた送気口金インサート部１１２とが（インサートにより）一体的に成形されている。
【００８０】
図１６及び図１７に示すようにストッパ１０８には成形時の位置決めのための切り欠き１０８ｅが設けてある。また、図１８に示すように送気口金インサート部１１２を長くし、しかも孔１１２ａを設けてある。
【００８１】
そして、上述したストッパ１０８の上縁で相互に対向する２カ所の位置に、円の中心部に向けて張り出された略三日月状の被係合部１０８ｂが設けられ、図２０に示すようにその底面１０８ｃは送水口金１６に付設された連結チューブストッパ８６のストッパ面として機能する。
【００８２】
連結チューブ９２は図１６，図１７に示すような形状をしており、コネクタ１の軸の長手方向と略平行に対向する第１，第２の凸状フランジよりなる第１の保持手段８６ａ，８６ａと、各保持手段８６ａと垂直方向に略対向する第３，第４の凸状フランジよりなる第２の保持手段８６ｂ，８６ｂの両者を備えており、両者の凸状フランジの幅は、第１の保持手段８６ａの方が第２の保持手段８６ｂより狭くなっている。
【００８３】
また送水口金インサート部１１０は、図１８〜図２１に示すように送水口金インサート部１１０の回転止め１１０ａと、細くすることにより送水タンク側送水チューブ９１の抜け止めとして機能する抜け止め部１１０ｂを備えている。
図２６に示すように、連結チューブ９２の着脱の際に、送気口金１５の軌跡位置に金属板１２２を設けることも可能である。
このような構造にして連結チューブが削れることなく、タンク内の液体を噴出させない目的を達成している。
【００８４】
また、この目的を達成するために、連結チューブは、第２の把持部と送気チューブとカバー部材よりなる送気管路と、第１の把持部と送水チューブを有する送水管路を設け、上記送気管路のカバー部材により上記第２の把持部を覆ってしまい、上記送気管路を取り外さないと上記送水管路を外すことができないようにしても良い。
【００８５】
この構成を図面を参照して具体的に説明する。図２７ないし図２９は図１８〜２１の変形例に係り、図２７（Ａ）、図２８（Ａ）は図２０に対応し、図２７（Ａ）、図２８（Ａ）の下方から見た場合を図２７（Ｂ）、図２８（Ｂ）に示す。また図２７（Ａ）又は図２８（Ａ）のＡ−Ａ，Ｂ−Ｂ，Ｃ−Ｃ断面を図２９（Ａ），（Ｂ），（Ｃ）に示す。
【００８６】
図２７（Ａ）、図２８（Ａ）に示すように、送水タンク側連結部材には送気管路部材１２４と送水管路部材１２５を各々１つずつ設けている。
なお、図２７、２８では内視鏡側送気口金を１３０、送水口金を１３１で示している。また、図１８〜２１におけるＯリング８４、８５、８７、８８を１６７、１７１、１６９、１７０で示している。
【００８７】
送水管路部材１２５は第１の把持部１２６の内側に口金本体１２７を衝止させ、口金ナット１２８を口金本体１２７と螺合する。口金本体１２７のコネクタ１側の接続部は注射器テーパ１２９となっており、他端は送水タンク１４と連結する送水タンク側送水チューブ９１が嵌入している。
第１の把持部１２６は送水口金固定部材１６８を介装して送水口金１３１に螺着されている。送水口金固定部材１６８はかにめ穴１６８ａが設けてある。
図２９（Ａ），（Ｃ）に示すように第１の把持部１２６には孔１２６ａが数カ所あいており、さらに図２９（Ｂ），（Ｃ）に示すように口金本体１２７には溝１２７ａを設けている。
【００８８】
また、図２７（Ａ），図２８（Ａ）に示すように第１の把持部１２６と送気口金１３１には螺刻してあり、またそれは多条ネジとしてある。
一方、送気管路部材１２４には送水タンク側送水口金インサート１３３がインサート成形されており、送水タンク側送気チューブ９０の一端が送水タンク側送水口金インサート１３３の一端に嵌入している。コネクタ側送気口金１３０には螺刻部１３０ａが設けてある。また、コネクタ側送気口金固定部材１３２にはかにめ穴１３２ａが設けてある。
【００８９】
図２７（Ｂ），図２８（Ｂ）に示すように、送気管路部材１２４には送水管路部材１２５の少なくとも第１の把持部１２６を覆うカバー部材１２４ａが設けられている。
【００９０】
また、図２７（Ｂ），図２８（Ｂ）に示すように第１の把持部１２６をカバーするカバー部材１２４ａには、このカバー部材１２４ａ内に少なくとも第１の把持部１２６を挿入するためのスリットまたは切り欠き部を有している。なお、１２４ｂは凸部である。
上記カバー部材１２４ａを弾性体であるゴム（例えば、シリコンゴム、フッ素ゴム等）で成形しても良いし、このカバー部材１２４ａを、硬質部材（例えば硬質材料のプラスチックス）で成形しても良い。硬質材料のプラスチックスとしては、ポリサルフォン、変性ＰＰＯ等を採用できる。
【００９１】
また、この実施例では、電気コネクタ部に防水キャップを装着した際に生じる溝部を生じさせることなく、またパッキンに付着した洗浄液を拭き取りやすくすることを目的とし、この目的を達成するために、内視鏡の電気コネクタ部に装着される防水キャップにおいて、防水キャップ装着側開口部にパッキンを設け、裾野状に外側に広がって電気コネクタ部と接触するようにした。
【００９２】
まず、この背景を説明する。
従来から光学式内視鏡（ファイバースコープと略記す。）にはその接眼部に外付けカメラを接続して観察像を撮影するシステムがある。そのために光源装置からカメラに電源を供給したりカメラからの調光信号を光源装置に送ったりしなければならず、そのためカメラと接眼部及びスコープコネクタと光源装置との間に電気接点を設けている。カメラ、光源及び制御装置の未接続状態では、その電気接点に人間の体が触れても感電等がないためにその電気接点は外部に露呈した状態となっている。
【００９３】
しかし、近年、挿入部の細径化、画像ファイルの容易さ等の理由から挿入部先端に固体撮像素子（以下、ＣＣＤと略記す。）を内蔵した電子内視鏡が広く用いられるようになってきた。これは挿入部先端のＣＣＤを別体のビデオプロセッサ（以下、ＶＰと略記す。）による制御によるもので、当然内視鏡側コネクタとＶＰとの接続部には、ＣＣＤ駆動電源や駆動パルスを供給したり、ＣＣＤからの出力信号を伝送したりするための電線の接続用電気接点が設けられている。
【００９４】
しかし、周知のようにＣＣＤは静電気に非常に弱く、帯電した人の手等が接点に触れるとＣＣＤを破損する危険が大きい。そこで、ファイバースコープとは異なりこれらの電気接点は、容易に手が触れられないような構造（例えば口金の内部奥の方に接点を設ける等）になっている。
【００９５】
一方、内視鏡は使用後、薬液に浸漬したりして病気の感染を未然に回避することが行われるために防水構造となっている。このために前記電子内視鏡の接点の取付部を防水にしておいても、そのまま薬液に漬けたのでは薬液から出した後水切りするのが困難であり、無理に拭こうとすると静電気が接点に流れる可能性があり、事実上接点は水没できない。
【００９６】
しかし、例えば、電子内視鏡のように、周辺装置との接続部に電気的コネクタを有する部分は、一般に、防水構造にすることが困難である。特に、静電気に弱い信号線や、高電圧の接点等は、容易に手が触れないように、外装より奥まったところに設けており、防水構造にすることが難しかった。
【００９７】
そこで特開昭６１−２４８０１７号公報、実開昭６２−１１１００１号公報、実開昭６１−４８７０２号公報のように電気接点部を有する口金に防水キャップを装着し、電気接点部を防水している。また、前述のファイバースコープでも外付けカメラの接点等は防水構造にし難く、接眼部に防水キャップを装着して防水構造にしている。
【００９８】
前記特開昭６１−２４８０１７号公報、前記実開昭６２−１１１００１号公報、前記実開昭６１−４８７０２号公報、実開昭６２−５９００１号公報に示されるように従来の防水キャップ３０１′では図５３，図５４に示されるようにＯリング３２８またはＯリング３１４ａで電気コネクタ部２２′を防水しているが、電気コネクタ部２２′と防水キャップ３０１′により作られる、溝部３２９に入り込んだ洗浄液を拭き取るのに時間がかかっていた。
【００９９】
そこで、上記目的を達成するために図３０、３１に示す構成にした。図３０に示すように、内視鏡用防水キャップ３０１は上面３０２ａが閉塞された筒状体に形成されるとともに、キャップ本体３０２を備えている。このキャップ本体３０２の外周壁には所定数（図示例では４個）の指当て部３０３が設けられている。これらの指当て部３０３により、防水キャップ３０１が回転しやすくなり、電気コネクタ部２２に対する着脱が容易になる。
【０１００】
また、キャップ本体３０２の外周壁には、防水キャップ３０１が電気コネクタ部２２に装着したとき、内視鏡２及び防水キャップ３０１が確実に防水されているか否かを検査するために、検査具が接続できる第２の口金部としての供給口３０４が設けられている。さらに、キャップ本体３０２の上面３０２ａには、注意書き等の所定事項が記載されたシール３０５が貼られている。
【０１０１】
図３０に示すように、防水キャップ３０１は、キャップ本体３０２の他にさらに第１の口金部としてのカム本体３０６と、電気コネクタ部底面２２ａに当接して後述する係止部３０７，３０８に水滴が入らないようにするパッキン３０９と、またこのパッキン先端部３０９ａは電気コネクタ部底面２２ａと突き当たるとき、パッキン先端部３０９ａが広がりやすいように外周にへこみ３０９ｂを設けてある。
【０１０２】
また、パッキン３０９に小突起３０９ｃを設け、キャップ本体３０２とパッキン３０９の水密を保っている。パッキン３０９とカム本体３０６との間には、パッキン固定部３１０が設けてある。
水密を保持するためのリング状のパッキン３１４と、このパッキン３１４を固定するパッキン押さえ３１５を備えている。
【０１０３】
カム本体３０６、パッキン押さえ３１５、パッキン３０９、パッキン３１４及びパッキン押さえ３１５はそれぞれ略リング状に形成されており、電気コネクタ部２２からこれらの順に設けられ、全体として略筒状部材に形成されている。
【０１０４】
そして、キャップ本体３０２が、パッキン押さえ３１５とパッキン３１４との各外周壁、カム本体３０６のパッキン３１４側の外周壁、及びパッキン３０９の外周壁までを覆うようにして、これらのカム本体３０６、パッキン３０９、パッキン３１４及びパッキン押さえ３１５が形成する略筒状に一体化された部材の一方の開口部を閉塞するようになっている。このキャップ本体３０２は螺子３１１によりカム本体３０６に固定している。
【０１０５】
カム本体３０６の周壁には、図３１に示されるような係止部３０７，３０８が形成されている。この係止部３０７，３０８はコネクタ１側に開口する縦溝部３０７ａとこれに続く斜め溝部３０７ｂと横溝部３０７ｃと段差凹部３０７ｄからなっている。
【０１０６】
この係止部３０７，３０８に電気コネクタ部２２に螺合固定されて径方向に突設されている防水キャップ取付用ピン頭部３１６ａが係入されており、防水キャップ３０１の長手方向の中心を回転軸として回転することにより、後述するように取付用ピン３１６が係止部３０７，３０８の各溝に案内されて段差凹部３０７ｄに落ち込み、防水キャップ３０１と電気コネクタ部２２とが係止するようになっている。
【０１０７】
パッキン３１４の内周壁には、電気コネクタ部２２の外周壁に係止する環状のシールクリップ部３１４ａが形成されている。シールクリップ部３１４ａは、電気コネクタシール部２２ｂと係止する際、弾性変形して、電気コネクタ部２２と防水キャップ３０１との間で水密を確保するようになっている。
【０１０８】
さらに、パッキン３１４のキャップ本体３０２側の端面には、パッキン押さえ３１５の端面に設けられた複数個の凹部３１５ａに係入するように複数個の図３０に示すような回転止め部３１４ｂが直線的に突設している。
【０１０９】
図８及び図３２に示すように口金固定板４７には、電線４９及び信号ケーブル９７、送気口６０、送水口６４、吸引パイプ７４、ライトガイドファイバ９５をそれぞれ通す穿設孔としての電線信号ケーブル挿通孔４７ａ、送気口孔４７ｂ，送水口孔４７ｃ，吸引パイプ孔４７ｄ、ライトガイドファイバ挿通孔４７ｆが設けてある。
【０１１０】
次にこの第１実施例の構成による作用を以下に説明する。
図６又は図７に示すように連結コード５の末端に設けられるコネクタ１の後端に形成した接続部９３に、金属網管９６を被覆した信号ケーブル９７を挿通させたフェライトコア３０を内設している。このとき信号ケーブル９７は、フェライトコア３０にループさせても構わない。
【０１１１】
このような構造にすることにより、接続部９３において、フェライトコア３０により信号ケーブル９７周囲の磁束を集中させて漏れ磁束を防ぐようにしているので、ノイズの放射及び侵入が起こり易いコネクタ１の付近、或いは信号ケーブル９７のループ部のようにシールドが不十分になり易い部分に対して電磁シールドをより確実に行うことができる。
【０１１２】
また、コネクタ１の後端側の部分の接続部９３に電磁シールドするためのフェライトコア３０を設けることにより、コネクタ１に設ける場合よりもコネクタ１を大型化することなく、電磁シールド機能を持たせることができる。
【０１１３】
なお、上記フェライトコア３０を内設する場合、内蔵物に干渉しない位置に内設すると良い。また、上記接続部９３内周面に沿って上記フェライトコア３０を係止しても良い。
【０１１４】
次にコネクタ１の組み立て手順を説明する。
電気接点１８に電線５４の一端を半田付けし、電気接点１８を接点嵌入孔４０に嵌入し、接点固定板５７により電気接点１８をコネクタケース３１に固定する。
【０１１５】
ベース３５にベース本体４２を螺子１７０で固定する。
ベース３５の底面にシールド板３９を螺子１７６で固定し、耳部３９ａを折曲げた状態でベース３５をコネクタケース３１の第３開口部３４に嵌入し、第２開口部３３より第２本体ブロック３７を嵌挿し、内蔵物を組み付ける前にベース３５と第２本体ブロック３７を螺子１１３で固定する。
【０１１６】
電線５４の他端は、第１本体ブロック３６を通り、電線用溝３５ｂを通り、ゴム板５０、押さえ板５１によって押圧固定し、図示されていないプリント基板に結線する。また、ゴム板５０、押さえ板５１を螺子１３４，１３６でベース３５に固定する。
【０１１７】
一端を図示しない撮像素子とリモートスイッチ９４にそれぞれ結線された信号ケーブル９７及び電線４９は、電線信号ケーブル挿通孔４７ａを通り、第２本体ブロック３７を通り、電線用溝３５ａに挿通する。後の作業は前記電線５４の場合と同じである。
そして、第１本体ブロック３６を第１開口部３２より嵌挿し、固定ビス３８によりベース３５に固定する。
【０１１８】
送水チューブ６３の一端を送水口金１６に嵌入し、コイル６６を送水チューブ６３に外装し、他端を送水口６４に嵌入し、送水口金孔３１ｂ、送水口金孔３７ｂに送水口金１６を嵌挿する。
【０１１９】
送気口金１５、送水口金１６を組み付け、流体口金２６に流体チューブ５９の一端を、送気口６０に他端を嵌入し、送気口金孔３１ａ、送気口金孔３７ａに送気口金１５を嵌挿する。
【０１２０】
図２，図４，図１８〜２１に示すように、送気口金１５、送水口金１６は、それぞれのフランジ部１５ａ，１６ａで第２本体ブロック３７に当接し、送気口金１５は送気口金固定具８３により固定し、コネクタケース３１に水密に固定され、送水口金固定部材８９により送水口金１６及び送水タンク側口金ストッパ８６を固定している。
【０１２１】
吸引パイプ７４を第２開口部３３側より第２本体ブロック３７へ向かって挿通し、吸引口金７５を螺合する。吸引パイプ７４と吸引口金１７の端面に接着剤を塗布する。
【０１２２】
そして、Ｃ状のリング受け４４をコネクタケース３１に嵌挿し、流体口金支持具６７を螺合する。ライトガイド口金５８を第１本体ブロック３６に螺合する。
Ｃ状のリング４６をＣ状のリング受け４４に装着する。
アース端子１３をアース端子孔３１ｃに嵌挿し、第２本体ブロック３７に螺合する。
【０１２３】
図３２に示すように送気口６０、送水口６４、吸引パイプ７４は口金固定板４７の所定の位置に穿設された送気口孔４７ｂ，送水口孔４７ｃ，吸引パイプ孔４７ｄに配置し、第２開口部３３に嵌挿する。
送水口６４は、口金固定板４７に送水口固定ナット７０により固定する。
そして、吸引パイプ平面部７４ａに流入防止板７９、吸引パイプ支持板８０、吸引パイプ固定板８１の順に載設し、螺子１６６により固定する。
【０１２４】
操作部４に接続する手順は、送水チューブ６３、送液チューブ６５をそれぞれ送気口６０、送水口６４にテーパ管７２、テーパ締め管７３を用いて接続する。このとき、送気口孔４７ｂは送気口６０の回転止めを兼ねるように、その部分は凸部４７ｅとした。
【０１２５】
また、従来、アース端子１３にアース電線１１７を半田付けしていたが、図３及び図１１に示すように、第２本体ブロック３７にアース電線１１７を挿入する孔３７ｃが設けてあり、アース電線１１７を挿入し、螺子１４７により、押圧固定する。
【０１２６】
または、圧着端子１１８をアース電線１１７に半田付けし、第２本体ブロック３７に螺子１４７により固定することも可能である。
接続部９３を螺子１６３により口金固定板４７に固定する。
図３２に示すように、第２本体ブロック３７の突設部３７ｇと接続部９３を螺子１４３に導通させる。
【０１２７】
コネクタケース３１の名版固定部３１ｆに名版１１９を螺子１７５で固定する。
そして、電気コネクタ部２２をベース本体４２に螺子１７３で固定する。また、ベース本体４２には、電気コネクタ部２２との間に識別ピン１１５（図２、図６、７参照）及び防水キャップ取付指標１１６が嵌挿している。この識別ピン１１５及び防水キャップ取付指標１１６は、コネクタケース３１に形成された切り欠き部３１ｅに嵌挿し、電気コネクタ部２２をベース４２に螺子１７３による螺合により、識別ピン１１５と防水キャップ取付指標１１６の固定も行われる。
【０１２８】
また、信号ケーブル９７の外周は金属網管９６で被覆されており、電磁シールドする。
図２２に示すように、金属網管９６の端面９６ａはフェライトコア３０の内部に位置させているので、仮にこの端面９６ａからノイズが漏れてもフェライトコア３０により吸収され、ノイズの漏れを防止する。
【０１２９】
図２３（Ａ）に示すように、上記フェライトコア３０内部の上記金属網管９６の一端面の位置は、金属網管挿入方向からみてフェライトコア手元端部近傍に位置させても良いし、図２３（Ｂ）に示すように、上記フェライトコア３０内部の上記金属網管９６の一端面の位置は、金属網管挿入方向からみてフェライトコア遠位端部近傍に位置させても良い。
【０１３０】
上記のように信号ケーブル９７の外周は金属網管９６で被覆され、図２４に示すように、さらに上記金属網管９６でフェライトコア３０の外周面を覆い、上記金属網管９６の端部９６ａを熱収縮チューブ１０５で固定しても良い。
【０１３１】
図２〜図４に示すように送気及び送水口金１５，１６、吸引口金１７、アース端子１３は、電気的に内視鏡本体側と内視鏡制御装置とを着脱可能に接続する内視鏡用コネクタの軸の長手方向の断面及び長手方向に垂直な方向の断面において、上記送気及び送水口金１５，１６、吸引口金１７、アース端子１３の口金が同一断面上に存在していない位置に組み付けられており、コネクタ１を小型化できる。
【０１３２】
図２〜４に示すように、上記吸引口金と上記送気口金及びまたは上記送水口金は略対向する位置に組み付けと、コネクタ１は大型化しない。
図２５に示すように、コネクタ１を光源装置２０に装着したとき、アース端子１３は光源装置設置面に略平行なコネクタ１の水平軸Ｏより上側に組み付けると、高周波焼灼装置のコネクタを取り付けやすくできる。
【０１３３】
連結チューブ９２を送気口金１５、送水口金１６に取り付ける順序は以下の通りである。図１６に示すように、連結チューブ９２を半回転させる。
一対に設けられた送水タンク口金ストッパ第１の保持手段８６ａの第１，第２の凸状フランジ部がストッパ１０８の溝部１０８ｂを通過し、一対に設けられた送水タンク口金ストッパ第２の保持手段８６ｂの第３，第４の凸状フランジとストッパ１０８とが停止するまで連結チューブ９２を押し込む。
【０１３４】
このとき、ストッパ１０８が送水口金１６の挿入ガイド１０８ｄとして働いている。停止後、連結チューブ９２を半回転させた方向とは逆に半回転させる。このときの連結チューブ９２の位置は図１７及び図１９である。そして送水タンク側口金ストッパ８６がストッパ底部１０８ｃに停止したところで、連結チューブ９２の装着が終了する。このときの連結チューブ９２の位置は図１７及び図２０である。
【０１３５】
図１８〜図２０は連結チューブ９２を装着する途中及び装着時の断面図であるが、連結チューブ９２の軸方向の長さと送水口金１６との長さの比は３：２とし、装着後連結チューブ９２をあおったとき、連結チューブ９２がぐらつかないようになる。
【０１３６】
逆に連結チューブ９２を取り外すときは、連結チューブ９２を水平に手前に引くと図２１の状態になり、連結チューブの第１の保持手段８６ａがストッパ１０８により停止し、半回転させて連結チューブストッパ第１の保持手段８６ａが被係合部１０８ｂを通過し、連結チューブ９２を外すことができる。
【０１３７】
このとき、第２の保持手段８６ｂが被係合部１０８ｂによってガイドされているので、連結チューブ９２を捩じりながら外すことはできない。
図２７，図２８に示すように、第１の把持部１２６は送気管路１２４のカバー部材１２４ａで覆われており、第１の把持部１２６を手で把持することはできなく、よって、取り外すことはできない。
【０１３８】
そこで、送気管路１２４をコネクタ側送気口金固定部材１３２より取り外すと、把持部１２６を把持できるようになり、送水管路１２５を取り外すことができる。
カバー部材１２４ａの送気管路端部かつ送水管路被覆側には切り欠きが設けられており、送気管路を送水管路の横側または下方のどちらからでも装着できるメリットがある。
【０１３９】
洗浄を行う際、電子内視鏡２の電気コネクタ部２２に防水キャップ３０１を装着する。この装着は、一対の係止部を構成する各縦溝部３０７ａに２つの防水キャップ取付用ピン３１６を係入して、各斜め溝部３０７に位置させる。
【０１４０】
この状態で、防水キャップ３０１を中心軸を中心にして回転させると、２つの防水キャップ取付用ピン３１６は、各斜め溝部３０７ｂに沿ってそれぞれ横溝部３０７ｃに至ると同時に、先端部３０９ａが電気コネクタ部底面２２ａにより押圧される。先端部３０９ａは、この押圧力により変形し、付勢力を生じる。
【０１４１】
この付勢力によって、防水キャップ取付用ピン３１６は、各段差凹部３０７ｄに落ち込み、図３３（Ａ）（または一対の係止部３０８と係止した場合、図３３（Ｂ））に示すように、電気コネクタ部２２と防水キャップ３０１とを固定する。
【０１４２】
また、防水キャップ３０１を電気コネクタ部２２に装着する際、電気コネクタ部底面２２ｂがシールクリップ３１４ａを変形して、電気コネクタ部２２と防水キャップ３０１との間を水密に保っている。また、上記先端部３０９ａにより電気コネクタ部底面２２ａと電気コネクタ部２２と防水キャップ３０１との接続面に水が侵入しない。
【０１４３】
電気コネクタ部２２の２つの防水キャップ取付用ピン３１６に係入して、防水キャップ３０１を装着・固着する場合、防水キャップ３０１の係止部３０７，３０７または係止部３０８，３０８のいずれか一方を選択的に使用できる。
【０１４４】
この第１実施例によれば他の内蔵物に干渉することなく、フェライトコア３０を連結コード５とコネクタ１との接続部９３に内設することにより、コネクタ１を大型化することなく、信号ケーブル９７を介しての放射ノイズを低減化することができる。なお、信号ケーブル９７と分離される電線４９に対してもフェライトコア３０と別体等のフェライトコアを通すようにして放射ノイズを低減化するようにしても良い。
【０１４５】
図３，図５に示すように、電気接点嵌入孔４０付近には、凸部４１を数カ所（図示例では２カ所）設け、コネクタ１を床に落としたとき、電気接点１８が床に当たる前に凸部４１が床に当たるので電気接点１８の故障を防止することができる。また、名版固定部３１ｆも凸部となっているので、上記同様電気接点１８の故障を防止できる。
【０１４６】
図１１に示すように、第２本体ブロック３７の吸引パイプ取付孔３７ｄは長円にして、作業性向上となる。
流入防止板７９、吸引パイプ支持板８０、吸引パイプ固定板８１とで構成することにより、接着剤がコネクタケース３１の内側に入り込まないようになる。
【０１４７】
吸引パイプ７４と吸引口金７５の端面には接着剤を塗布することにより、術者が吸引口金を指で触れても怪我をしないようにした。
また、吸引パイプ支持板８０を図５に示すように把持部８０ａを設けることにより、吸引パイプ支持板８０の微調整が可能となる。
【０１４８】
また、従来、アース端子１３にアース電線１１７を半田付けしていたが、図３及び図１１に示すように、第２本体ブロック３７にアース電線１１７を挿入する孔３７ｃが設けてあり、アース電線１１７を挿入し、螺子１４７により、押圧固定することにより、作業性が向上する。
【０１４９】
送気口金１５及び送水口金１６の送水タンク側口金９２との着脱側端面１５ｃ，１６ｃは丸めて、送水タンク側口金９２を削らないようにできる。
また、送水タンク側口金９２の送気管路１０６、送水管路１０７の内径は、送気口金１５及び送水口金１６の内径よりも大きくすることにより、送水タンク側口金の洗浄性向上となる。
【０１５０】
接続部９３に窓９３ａを設けて接続部９３内のスペースを多くとることができる。
第２開口部３３より第２本体ブロック３７を嵌挿し、内蔵物を組み付ける前にベース３５と第２本体ブロック３７を螺子１１３で固定するので組立性が向上する。
【０１５１】
また、第２本体ブロック３７はベース３５を包み込むようにしてあるので、周辺機器からのノイズによる誤動作を防止することができる。
送気口金孔３７ａ、送水口金孔３７ｂは、図１１に示すように大きくして、組立性向上となる。
【０１５２】
操作部４に接続する手順は、送水チューブ６３、送液チューブ６５をそれぞれ送気口６０、送水口６４にテーパ管７２、テーパ締め管７３を用いて接続する。把持スペースを送気口６０、送水口６４に設けることにより、送気口６０、送水口６４を固定することができる。
【０１５３】
第２本体ブロック３７の突設部３７ｇと接続部９３を螺子１４３に導通させることにより、放射ノイズを低減することができ、周辺機器からのノイズによる誤動作を防止することができるので、安全に内視鏡検査及び処置ができるようになる。
【０１５４】
名版１１９はコネクタケース３１と同一平面上に取り付くことにより、外観上見苦しくない。
また、図３４に示すようにコネクタ１における送水口金１６付近に突出部１４４を設けることにより、送水口金１６から水が垂れたとき、キーボード１３７を濡らさないので、キーボードの故障を防止することができる。
【０１５５】
図２２に示す構成にしたので、信号ケーブル９７は全長にわたってフェライトコア３０または金属網管９６で覆われているので、上記信号ケーブル９７からの放射ノイズを低減し、また周辺機器からのノイズを遮断することができる。
【０１５６】
図２３（Ａ）に示す構成にした場合には、フェライトコア３０内の信号ケーブル９７の金属網管被覆部が少ないため、上記信号ケーブル９７からの放射ノイズを上記フェライトコア３０に吸収しやすくなる。
【０１５７】
図２３（Ｂ）に示す構成にした場合には、信号ケーブル９７の金属網管被覆部が多いため、周辺機器からのノイズを遮断しやすくなる。
【０１５８】
また、図２４の構成にした場合には信号ケーブル９７は全長にわたってフェライトコア３０または金属網管９６で覆われているので、上記信号ケーブル９７からの放射ノイズを低減し、また周辺機器からのノイズを遮断することができる。上記熱収縮チューブ１０５の材質としてＦＥＰ，ＴＦＥ，ＰＦＡ，シリコンゴムなどを採用すれば、使用できる熱収縮チューブは一般的に使用される材質なので、入手しやすい。
【０１５９】
図１ないし図４に示すように内視鏡用コネクタ１に組み付けられる例えば送気口金１５、送水口金１６、吸引口金１７、アース端子１３の位置関係は、内視鏡用コネクタ１の軸の長手方向の断面及び長手方向に垂直な方向の断面上で、それぞれの口金が存在しないので、コネクタ１の小型化が可能となる。
また、図２に示すように上記吸引口金１７と上記送気口金１５、上記送水口金１６は対向して設けているので、コネクタ１は大型化しない。
【０１６０】
図２５に示すように内視鏡用コネクタ１を光源装置２０に装着したとき、アース端子１３は光源装置設置面に略平行な内視鏡用コネクタの水平軸より上側に設けられているので、高周波焼灼装置のコネクタを取り付けやすくなる。
【０１６１】
図１８ないし図２１に示すように連結チューブ９２を外す動作を軸方向（連結チューブ９２を外す方向）に規制する連結チューブストッパ８６の第１の保持手段８６ａと送気口金１５により連結チューブ９２を削らせないようにした連結チューブストッパ８６の第２の保持手段８６ｂと、ストッパ１０８を設けることにより、送水タンク１４内の液体が噴出せず、また送気口金１５によって、連結チューブ９２が削られないようにできる。
【０１６２】
図１６、図１７にも示すように第１の保持手段８６ａと第２の保持手段８６ｂは送水口金１６に設けられているので、部品点数を減らすことができる。
第１の保持手段８６ａ及び第２の保持手段８６ｂにおける第１〜第４の凸部を設けることにより、ゴミが溜まりにくくできる。
【０１６３】
また、図１６，図１７に示すように、連結チューブストッパの第１の保持手段８６ａを連結チューブストッパの第２の保持手段８６ｂより小さくすることにより、連結チューブ９２を装着する際、連結チューブストッパ８６ａがストッパの被係合部１０８ｂを通過しやすくなるので、連結チューブ９２を装着しやすくなる。
【０１６４】
送気口金インサート部１１２を長くし、連結チューブ９２の剛性を高め、かつ孔１１２ａを設けてゴムの流れを良くできる。
連結チューブ９２は図１６，図１７に示すような形状をしているので、着脱の際、連結チューブ９２を回転させるとき、回転中心が分かりやすい。
【０１６５】
図２６に示すように、送気口金１５の軌跡位置に金属板１２２を設けることにより、連結チューブ９２の着脱の際に、送気口金１５により連結チューブ９２が削られないようにした。
【０１６６】
図１８〜図２１は連結チューブ９２を装着したときの断面図であるが、装着後連結チューブ９２をあおったとき、連結チューブ９２がぐらつかないように、連結チューブ９２の軸方向の長さと送水口金１６との長さの比は３：２とした。
【０１６７】
図２７、図２８に示すように送気管路１２４のカバー部材１２４ａにより、第１の把持部１２６を覆っているので、両者を取り外す順序は、おのずと送気管路１２４を外してから送水管路１２５を外すという順序になり、送水タンク１４内の加圧空気が放出してから、送水管路１２５を外すので、送水タンク１４内の水が噴出しない。
【０１６８】
また、カバー部材１２４ａにより、第１の把持部１２６を覆っているので、取り外しの際、送水管路１２５を把持することが不可能となり、送気管路１２４を先に外すことになる。すると、送水タンク１４内は減圧し、送水タンク１４内の液体が噴出することはなく、床やキーボードを濡らすことを防止できる。
【０１６９】
また、カバー部材１２４ａには第１の把持部１２６を通すことができるスリット又は切り欠き部が設けてあるので、送水管路、送気管路の着脱が容易にできる。
【０１７０】
図２９に示すように、第１の把持部１２６には孔１２６ａが数カ所あいており、さらに口金本体１２７に溝１２７ａを設けることにより、洗浄消毒の際、洗浄液および消毒液が流れやすくなっている。
【０１７１】
図２７に示すように、第１の把持部１２６とコネクタ側送水口金１３１との接続部は螺刻してあり、またその螺子部は多条ネジとして、術者が怪我をしないようにできる。
【０１７２】
図２８に示すように、送気管路１２４には送水管路１２５を完全に覆う部分１２４ａが設けられている。金属からなる第１の把持部１２６に術者が手で触れないようにしている。また、図２８（Ａ）も同様の効果を得ることができる。
図２８に示すように、凸部１２４ｂを設けて、送水管路１２５の着脱を容易にした。
図２７に示すように、コネクタ側送気口金固定部材１３２に螺刻部１３２ｂが設けてあり、今後何らかのアダプタが取り付け可能となっている。
【０１７３】
図３０に示すように防水キャップ３０１を電気コネクタ部２２に装着するとパッキン３０９が電気コネクタ部底面２２ａにより、外側に広がって電気コネクタ部底面２２ａと接触するため、防水キャップ３０１と電気コネクタ部２２により溝が形成されず、パッキン３０９の防水キャップ３０１より露出している外周面３０９ｄに付着した洗浄液が拭き取りやすくなる。
【０１７４】
パッキン３０９の外周にへこみ部３０９ｂを設けることにより、パッキン先端部３０９ａは電気コネクタ部底面２２ａと突き当たるとき、パッキン先端部３０９ａが広がりやすいようにしたので、防水キャップ３０１と電気コネクタ３０９により溝が形成されず、パッキン外周面に付着した洗浄液を拭き取りやすくなる。
【０１７５】
また、小突起３０９ｃとパッキン押さえ３１５を設けることにより、電気コネクタ部２２９の水密を保つことができる。
図３５に示すように、回転止め部３１４ｂを直線的に設けることによりパッキン３１４をずれにくくできる。
【０１７６】
電気コネクタ部２２の２つの防水キャップ取付用ピン３１６に係入して、防水キャップ３０１を装着・固着する場合、防水キャップ３０１の係止部３０７，３０７または係止部３０８，３０８のいずれか一方を選択的に使用できる。
【０１７７】
従って、防水キャップ取付用ピン３１６との係入に際し、防水キャップ３０１側の係止部３０７，３０７または係止部３０８，３０８を選択することにより、図３３（Ｂ）または図３６（Ａ）にそれぞれ示すように、供給口金３０４の向きをコネクタ１の軸方向に対し斜めかつ上方向に配置できるので、高圧気体供給用コネクタ３１８の着脱が容易にできる。図３６において、３１７は高圧気体供給用チューブである。
【０１７８】
次に本発明の第２実施例を説明する。
図３７で示すように、一端が内視鏡の操作部４に接続された連結コード５と、光源装置のソケットに差し込まれるコネクタ１と連結する接続部９３に、一端が固体撮像素子に接続する信号ケーブル９７が挿通されている。この接続部９３はフェライト材料で形成している。
上記接続部９３は口金固定板４７と連結コード口金１０２に螺子１６２により固定されている。
【０１７９】
次にこの実施例の作用を説明する。
フェライト材料で成形された接続部９３内に信号ケーブル９７を挿通させ、接続部９３は口金固定板４７と連結コード口金１０２に螺子１６２により固定している。従って、部品点数を減らすことができ、他の内蔵物との干渉を心配する必要がなくなり、信号ケーブル９７からの放射ノイズを低減することができる。
【０１８０】
次に本発明の第３実施例を説明する。
この実施例の目的はコネクタを大型化せず、フェライトコアを内視鏡に内設することを目的とし、この目的を達成するために、信号ケーブルを挿通したフェライトコアに熱収縮チューブを被覆し、上記信号ケーブルを上記フェライトコアに係止し、接続部の窓が開いている所定の位置にフェライトコアを配置し、上記フェライトコアを接続部内周面に沿って係止する構造にしたものである。
【０１８１】
このようにした背景をまず説明する。
従来、特開平２−３０８６０９公報のようにフェライトコア３０′を筐体１５３へ固定するには、図５５に示すように入出力端末装置の筐体１５３に内設され、かつ互いに接近する方向に弾発的に支持された２つの対向する保持部材１５２と、上記筐体１５３から導出されるインタフェースケーブル１５５が挿通されたフェライトコア３０′とを有する。
【０１８２】
そして、上記保持部材１５２に押し込まれて掴まれたフェライトコア３０′が抜けないように、保持部材１５２にばね性をもたせた爪１５４が設けられており、上記保持部材１５２によりフェライトコア３０′を掴んで保持するようにしている。なお、図５５（Ｂ）は図５５（Ａ）のＹ−Ｙ断面を示す。
【０１８３】
この公報のようにフェライトコア３０′を筐体１５３へ固定するには、ばね性を持たせた爪１５４でフェライトコア３０′を押し込み、掴んで保持していた。しかしながら、この方法の場合、中空の筐体１５３にフェライトコア３０′を固定しようとしても無理であり、固定できてもコネクタが大型化してしまう。
【０１８４】
よって、上記目的を達成するために以下に具体的に説明する構成にしている。図３８に示すように、一端が内視鏡の操作部４に接続する連結コード５と光源装置のソケットに差し込まれるコネクタ１との接続部９３は中空の部材で、窓９３ａが設けてある。
【０１８５】
この接続部９３の断面を示す図３９の例では窓９３ａは４カ所設けられていて、フェライトコア３０、送気チューブ６２（その外側のテーパ締め管７３のみ示す）、送液チューブ６５（その外側のテーパ締め管７３のみ示す）、ライトガイドファイバ９５、電線４９、信号ケーブル９７が内蔵されている。
【０１８６】
フェライトコア３０には金属網管９６を被覆した信号ケーブル９７を挿通またはループさせている。また、フェライトコア３０に熱収縮チューブ９８を被覆しさらに、図４０に示すような薄い金属板９９を図４１に示すように巻き付け、金属板９９の耳部９９ａに粘着テープ１００等の粘着部材を貼り固定している。
【０１８７】
また、図３８に示す接続部９３の内側の突起部９３ｂは、フェライトコア３０の位置決めをしている。また、接続部９３は螺子１６２等により連結コード口金１０２及び口金固定板４７に固定されている。
粘着テープ１００等の粘着部材で金属板９９を固定すると説明したが、以下のように固定しても良い。
【０１８８】
図４２（Ａ）に示すように螺子１８１で、接続部９３に金属板９９を固定する。
或いは、図４２（Ｂ）に示すように接着剤１９０にて接続部９３に金属板９９を固定しても良い。
【０１８９】
次にこの実施例の作用を説明する。
フェライトコア３０に金属網管９６を被覆した信号ケーブル９７を挿通し決められた位置でループさせる。そして、熱収縮チューブ９８をフェライトコア３０に被覆する。そして、図３８のような金属板９９をフェライトコア３０に被覆し、接続部９３を装着する。
【０１９０】
金属板９９を被覆したフェライトコア３０を接続部９３の所定の窓９３ａに位置させる。そして、耳部９９ａを接続部９３の外周面に沿わせて折曲げる。その折曲げた部分に粘着テープ１００等の粘着部材を貼りフェライトコア３０を固定すれば良い。
【０１９１】
或いは、接続部９３に金属板９９を、図４２（Ａ）に示すように螺子１８１で固定、或いは、接続部９３に金属板９９を、図４２（Ｂ）に示すように接着剤１９０にて固定しても良い。
【０１９２】
このような構成にして、電線４９、送気チューブ６２、送液チューブ６５、ライトガイドファイバー９５等の内蔵物に干渉することなく、連結コード５とコネクタ１との接続部９３に位置決めすることができ、接続部９３の細径化が可能となる。
また、接続部９３には窓９３ａが開いており、接続部９３を大型化せず、接続部９３内のスペースを多くとることができ、内蔵物の干渉を避けることができる。
【０１９３】
上記構成においては、信号ケーブル９７を上記フェライトコア３０に係止し、その外周に金属板９９を被覆し、接続部９３の窓９３ａが開いている所定の位置に上記金属板９９を被覆したフェライトコア３０を配置し、金属板９９を接続部９３の外周面に沿わせるように折り返し、上記接続部９３に係止した。
従って、接続部９３内のスペースを有効的に利用することができるようになる。
【０１９４】
係止する場合、上記接続部９３内面に粘着部材により係止することにより、単純作業でフェライトコア３０を係止することができる。
或いは上記接続部内面に螺子１８１により係止することにより、特殊作業をすることなく、フェライトコア３０を係止することができる。
或いは上記接続部９３外周にそって接着剤１９０により係止することにより、部品点数を削減することができる。
【０１９５】
或いは上記金属板９９の肉厚を０．１以下とし、上記接続部９３の外周面に沿わせることにより、金属板９９が薄いので、熱収縮チューブ９８、金属板９９を被覆したフェライトコア３０は大型化せず、他の内蔵物と干渉することを防止できる。
【０１９６】
また、上記熱収縮チューブ９８の材質をＦＥＰ、ＴＦＥ、ＰＦＡ、シリコンゴム等とすることにより、一般的な材質の熱収縮チューブを使用することができる。
また、上記粘着部材を粘着テープ１００とすることにより、単純作業でフェライトコア３０を係止することができる。
また、上記接着剤１９０を、ウレタン系、エポキシ系、アクリル系等とすることにより、購入が容易な接着剤によってでフェライトコア３０を係止することができる。
【０１９７】
次に本発明の第４実施例を説明する。この実施例も第３実施例と同様にコネクタを大型化することなく内視鏡に内設できるものを提供することを目的とし、信号ケーブルを挿通したフェライトコアに熱収縮チューブと上記フェライトコアとの間に金属板を介在し、上記熱収縮チューブを収縮させる。そして金属板を接続部に係止することにより、上記フェライトコアを係止する構造にして、上記目的を達成したものである。
【０１９８】
以下、図４３、４４、４５を参照して具体的に説明する。図４３、４４、４５において、（Ｂ）の上部側から見た場合の係止手段部分を示し、それぞれ接続部内面に螺子１５０、接着剤１９０、粘着部材によりそれぞれ係止するものである。
【０１９９】
図４３に示すように、一端が電子内視鏡の操作部４に接続する連結コード５と光源装置のソケットに差し込まれるコネクタ１との接続部９３は中空の部材で窓９３ａが例えば４カ所開いていて、図９或いは図３９のようにフェライトコア３０、送気チューブ６２（その外側のテーパ締め管７３のみで示すものもある）、送液チューブ６５（その外側のテーパ締め管７３のみで示すものもある）、ライトガイドファイバ９５、電線４９、信号ケーブル９７が内蔵されている。
【０２００】
フェライトコア３０には金属網管９６を被覆した信号ケーブル９７を挿通またはループさせている。また、フェライトコア３０に熱収縮チューブ９８を被覆しその間には２カ所穿孔された金属板１０３が介在している。金属板１０３の各孔の位置で螺子１５０で接続部９３に固定している。
また、接続部９３は螺子１６２等により連結コード口金１０２と口金固定板４７に固定されている。
【０２０１】
図４３では金属板１０３を螺子１５０で固定したが、この代わりに図４４に示すように金属板１０３を（金属板１０３の両端付近でその固定側の面に塗布した）接着剤１９１にて接続部９３に固定するようにしても良い。係止手段が異なるのみで、その他は図４３と同様の構成である。
【０２０２】
また、図４４に示すように金属板１０３を接着剤１９１にて接続部９３に固定する代わりに、図４５に示すように粘着テープ４００等の粘着部材で金属板１０３を接続部９３に固定するようにしても良い。
【０２０３】
次にこの実施例の作用を説明する。
フェライトコア３０に金属網管９６を被覆した信号ケーブル９７を挿通し決められた位置でループさせる。そして、熱収縮チューブ９８をフェライトコア３０の間に金属板１０３を介し熱収縮チューブ９８を収縮させる。そして、接続部９３を装着し、フェライトコア３０を窓９３ａより出し、係止手段により接続部９３に固定することができる。
【０２０４】
この実施例によれば、電線４９、送気，送気チューブ６２、送液チューブ６５、ライトガイドファイバ９５等の内蔵物に干渉することなく、連結コード５とコネクタ１との接続部９３に位置決めすることができ、接続部９３の細径化が可能となる。
【０２０５】
接続部９３には窓９３ａが開いており、接続部９３を大型化せず、接続部９３内のスペースを多くとることができ、内蔵物の干渉を避けることができる。
係止手段としては図４３に示すように螺子１５０を用いることができる。この場合には特殊作業をすることなく、フェライトコア３０を係止することができる。
【０２０６】
係止手段として図４４に示すように、接着剤１９１で金属板１０３を接続部９３に固定することもできる。この場合には部品点数を削減することができる。
さらに係止手段として図４５に示すように粘着テープ４００等の粘着部材で固定することもできる。この場合には単純作業でフェライトコア３０を係止することができる。
【０２０７】
また、上記熱収縮チューブ９８の材質をＦＥＰ、ＴＦＥ、ＰＦＡ、シリコンゴム等とすることにより、一般的な材質の熱収縮チューブを使用することができる。
また、上記粘着部材を粘着テープ４００とすることにより、単純作業でフェライトコア３０を係止することができる。
また、上記接着剤を、ウレタン系、エポキシ系、アクリル系等とすることにより、購入が容易な接着剤でフェライトコア３０を係止することができる。
【０２０８】
次に本発明の第５実施例を説明する。この実施例も第３実施例と同様に小型化できるコネクタを提供することを目的とし、信号ケーブルを挿通したフェライトコアに熱収縮チューブを被覆し、フェライトコア外周に、貫通孔が設けてある金属板を覆い、略円筒上の接続部の窓が開いている位置に、上記金属板を巻き付けたフェライトコアを配置し、上記金属板を上記接続部の外周面にそわせるように折り返し係止する構造にしている。
【０２０９】
以下、図４６等を参照して具体的に説明する。
図４６に示すように、一端が内視鏡の操作部４に接続する連結コード５と光源装置のソケットに差し込まれるコネクタ１との接続部９３は中空の部材で窓９３ａが図示例では１カ所開いていて、フェライトコア３０、送気チューブ６２、送液チューブ６５、ライトガイドファイバ９５、電線４９、信号ケーブル９７が内蔵されている。
【０２１０】
フェライトコア３０には（金属網管９６で被覆された）信号ケーブル９７がループさせている。また、フェライトコア３０は熱収縮チューブ９８で被覆され、さらに金属板１０４を曲げやすいように貫通孔１０４ｂを設けた金属板１０４で熱収縮チューブ９８を被覆し、この金属板１０４を耳部１０４ａの位置で螺子１５１により接続部９３に固定している。
また、接続部９３は上述したように螺子１６２等により連結コード口金１０２及び口金固定板４７に固定されている。
【０２１１】
図４６では、金属板１０４を接続部９３に固定或いは係止する手段として螺子１５１を用いていたが、図４７に示すように耳部１０４ａの固定側の面に塗布などした接着剤３９０にて固定を行うようにしても良い。
さらに図４８に示すように、粘着テープ４００等の粘着部材で金属板１０４を固定するようにしても良い。
【０２１２】
次に作用を説明する。
フェライトコア３０に金属網管９６を被覆した信号ケーブル９７を挿通し決められた位置でループさせる。そして、熱収縮チューブ９８をフェライトコア３０に被覆し熱収縮チューブ９８を収縮させる。さらに金属板１０４を被覆し、フェライトコア３０を窓９３ａより出し、螺子１５１等の係止或いは固定手段により接続部９３に固定する。
【０２１３】
この実施例によれば、電線４９、送気，送液チューブ６２，６５、ライトガイドファイバー９５等の内蔵物に干渉することなく、連結管５とコネクタ１との接続部９３に位置決めすることができ、接続部９６の細径化が可能となる。
【０２１４】
接続部９３には窓９３ａが開いており、接続部９３を大型化せず、接続部９３内のスペースを多くとることができ、内蔵物の干渉を避けることができる。
係止手段として螺子１５１を用いることができる。この場合には特殊作業をすることなく、フェライトコア３０を係止することができる。
【０２１５】
また、係止手段として、図４７に示すように接着剤３９０により金属板１０４を接続部９３に固定しても良い。この場合には部品点数を削減することができる。
【０２１６】
また、係止手段として、図４８に示すように粘着テープ４００等の粘着部材により金属板１０４を接続部９３に固定しても良い。この場合には単純作業でフェライトコア３０を係止することができる。
【０２１７】
また、熱収縮チューブ９８としてＦＥＰ，ＴＦＥ，ＰＦＡシリコンゴム等を採用することにより一般的に入手が容易な材質の熱収縮チューブを使用することができる。
また、接着剤３９０としてウレタン、エポキシ、アクリル系のものとすることにより、購入が容易な接着剤でフェライトコア３０を係止することができる。
【０２１８】
また、粘着部材として粘着テープ４００を採用することにより、単純作業でフェライトコア３０を係止することができる。
なお、上述した実施例等を部部的等で組み合わせて構成した実施例等も本発明に属する。
【０２１９】
［付記］
２．請求項１において、上記接続部内の内臓物と干渉しない位置にフェライトコアを内設したことを特徴とする内視鏡。
接続部内の内蔵物に干渉しない位置にフェライトコアを設けたので、接続部内の内蔵物に干渉しないという効果がある。
３．請求項１又は付記２において、上記接続部内周面に沿ってフェライトコアを設けたことを特徴とする内視鏡。
接続部内周面に沿ってフェライトコアを設けたので、接続部内のスペースを有効的に利用することができるという効果がある。
【０２２０】
４．一端が内視鏡の操作部に接続された連結コードと、
光源装置のソケットに差し込まれるコネクタと、
上記連結コードのもう一端と上記コネクタとを連結する接続部とを、
上記接続部にフェライトコアを内設している内視鏡において、
上記接続部内に上記フェライトコアを内周面に沿って設けるための係止手段を設けたことを特徴とする内視鏡。
連結コードとコネクタとの接続部にフェライトコアを他の内蔵物に干渉することなく位置決めすることができるので、接続部を細径化することができる。
【０２２１】
５．付記４の係止手段は、上記信号フェライトコア内に挿通する、一端が固体撮像素子に結線された信号ケーブルと、
上記信号ケーブルを挿通したフェライトコアを被覆する熱収縮チューブと、
上記熱収縮チューブを被覆した上記フェライトコアにさらに被覆する金属板とを具備すると共に、
上記金属板を上記接続部内周面に沿って設けたことを特徴とする内視鏡。
接続部内のスペースを有効的に利用することができる。
【０２２２】
６．付記４の金属板を上記接続部内面に粘着部材で係止したことを特徴とする内視鏡。
単純作業でフェライトコアを係止することができる。
【０２２３】
７．付記４の金属板を上記接続部内面に螺子で係止したことを特徴とする内視鏡。
特殊作業をすることなく、フェライトコアを係止することができる。
８．付記４の金属板を上記接続部に固定する方法を接着剤としたことを特徴とする内視鏡。
部品点数を削減することができる。
【０２２４】
９．付記４の金属板の肉厚を０．１以下としたことを特徴とする内視鏡。
金属板が薄いので、熱収縮チューブ、金属板を被覆したフェライトコアは大型化せず、他の内蔵物と干渉することはない。
１０．付記４の熱収縮チューブの材質をＦＥＰ、ＴＦＥ、ＰＦＡ、シリコンゴム等としたことを特徴とする内視鏡。
一般的な材質の熱収縮チューブを使用することができる。
１１．付記６の粘着部材を粘着テープとしたことを特徴とする内視鏡。
単純作業でフェライトコアを係止することができる。
１２．付記８の接着剤を、ウレタン系、エポキシ系、アクリル系等としたことを特徴とする内視鏡。
購入が容易な接着剤でフェライトコアを係止することができる。
【０２２５】
１３．一端が内視鏡の操作部に接続された連結コードと、
光源装置のソケットに差し込まれるコネクタと、
上記連結コードのもう一端と上記コネクタとを連結する接続部と、
上記接続部内に内設するフェライトコアと、
上記フェライトコアに挿通し、一端が内視鏡先端部に設けられた固体撮像素子に結線している信号ケーブルと、
上記信号ケーブルを挿通したフェライトコアを被覆する熱収縮チューブと、
上記熱収縮チューブと上記フェライトコアに介在する金属板とを有する内視鏡において、
上記金属板を上記接続部内に係止することを特徴とする内視鏡。
連結コードとコネクタとの接続部にフェライトコアを他の内蔵物に干渉することなく位置決めすることができるので、接続部を細径化することができる。
【０２２６】
１４．付記１３の金属板を上記接続部内面に螺子で係止したことを特徴とする内視鏡。
特殊作業をすることなく、フェライトコアを係止することができる。
１５．付記１３の金属板を上記接続部内面に接着剤で係止したことを特徴とする内視鏡。
部品点数を削減することができる。
１６．付記１３の金属板を上記接続部内面に粘着部材で係止したことを特徴とする内視鏡。
単純作業でフェライトコアを係止することができる。
【０２２７】
１７．付記１３の熱収縮チューブの材質をＦＥＰ、ＴＦＥ、ＰＦＡ、シリコンゴム等としたことを特徴とする内視鏡。
一般的な材質の熱収縮チューブを使用することができる。
１８．付記１５の接着剤をウレタン系、エポキシ系、アクリル系等としたことを特徴とする内視鏡。
購入が容易な接着剤でフェライトコアを係止することができる。
１９．付記１６の粘着部材を粘着テープとしたことを特徴とする内視鏡。
単純作業でフェライトコアを係止することができる。
【０２２８】
２０．一端が内視鏡の操作部に接続された連結コードと、
光源装置のソケットに差し込まれるコネクタと、
上記連結コードのもう一端と上記コネクタとを連結する接続部と、
上記接続部内に内設するフェライトコアと、
上記フェライトコアに挿通し、一端が内視鏡先端部に設けられた固体撮像素子に結線している信号ケーブルと、
上記信号ケーブルを挿通したフェライトコアを被覆する熱収縮チューブと、
上記熱収縮チューブを被覆した上記フェライトコアを被覆する貫通孔が設けてある金属板と、
を具備している内視鏡において、
上記金属板を上記接続部内面に係止することを特徴とする内視鏡。
連結コードとコネクタとの接続部にフェライトコアを他の内蔵物に干渉することなく位置決めすることができるので、接続部を細径化することができる。
【０２２９】
２１．付記２０の金属板を上記接続部内面に螺子で係止したことを特徴とする内視鏡。
特殊作業をすることなく、フェライトコアを係止することができる。
２２．付記２０の金属板を上記接続部内面に接着剤で係止したことを特徴とする内視鏡。
部品点数を削減することができる。
２３．付記２０の金属板を上記接続部内面に粘着部材で係止したことを特徴とする内視鏡。
単純作業でフェライトコアを係止することができる。
【０２３０】
２４．付記２０の熱収縮チューブの材質をＦＥＰ、ＴＦＥ、ＰＦＡ、シリコンゴム等としたことを特徴とする内視鏡。
一般的な材質の熱収縮チューブを使用することができる。
２５．付記２２の接着剤をウレタン系、エポキシ系、アクリル系等としたことを特徴とする内視鏡。
購入が容易な接着剤でフェライトコアを係止することができる。
２６．付記２３の粘着部材を粘着テープとしたことを特徴とする内視鏡。
単純作業でフェライトコアを係止することができる。
【０２３１】
２７．一端が内視鏡の操作部に接続された連結コードと、
光源装置のソケットに差し込まれるコネクタと、
上記連結コードのもう一端と上記コネクタとを連結する接続部と、
上記接続部内に内設しているフェライトコアと、
上記フェライトコアに挿通し、一端が内視鏡先端部に設けられた固体撮像素子に結線している信号ケーブルと、
上記信号ケーブルを被覆する金属網管とを有する内視鏡装置において、
上記金属網管の一端面が、上記フェライトコアの内部に位置していることを特徴とする内視鏡。
信号ケーブル全長にわたってフェライトコアまたは金属網管で覆われているので、放射ノイズを低減することができ、周辺機器からのノイズによる内視鏡の誤動作を防止することができる。
【０２３２】
２８．付記２７のフェライトコア内部の上記金属網管の一端面の位置は、金属網管挿入方向からみてフェライトコア手元端部近傍に位置していることを特徴とする内視鏡。
信号ケーブルからの放射ノイズをフェライトコアが吸収しやすくなる。
２９．付記２７のフェライトコア内部の上記金属網管の一端面の位置は、金属網管挿入方向からみてフェライトコア遠位端部近傍に位置していることを特徴とする内視鏡。
周辺機器からのノイズによる内視鏡の誤動作を防止しやすくなる。
【０２３３】
３０．一端が内視鏡の操作部に接続された連結コードと、
光源装置のソケットに差し込まれるコネクタと、
上記連結コードのもう一端と上記コネクタとを連結する接続部と、
上記接続部内に内設しているフェライトコアと、
上記フェライトコアに挿通し、一端が内視鏡先端部に設けられた固体撮像素子に結像している信号ケーブルと、
上記信号ケーブルと上記フェライトコアとを同時に被覆する金属網管と、
上記金属網管を固定する熱収縮チューブと
を有する内視鏡装置において、
上記金属網管の上記フェライトコアを被覆した側の端部を上記熱収縮チューブで上記フェライトコアに固定したことを特徴とする内視鏡。
信号ケーブル全長にわたってフェライトコアまたは金属網管で覆われているので、放射ノイズを低減することができ、周辺機器からのノイズによる内視鏡の誤動作を防止することができる。
３１．付記３０において、上記熱収縮チューブの材質をＦＥＰ、ＴＦＥ、ＰＦＡ、シリコンゴム等としたことを特徴とする内視鏡。
一般的な材質の熱収縮チューブを使用することができる。
【０２３４】
３２．送気口金、送水口金、吸引口金、アース端子等の口金を少なくとも２つ以上具備し、内視鏡本体と内視鏡制御装置とを着脱自在に接続する内視鏡用コネクタにおいて、
上記送気口金、送水口金、吸引口金がそれぞれ異なる上記内視鏡用コネクタの長手軸に平行な平面上に配設され、上記送気口金と送水口金はそれぞれ異なる上記内視鏡用コネクタの長手軸に垂直な平面上に配設されていることを特徴とする内視鏡用コネクタ。
内視鏡用コネクタに組み付けられる送気口金、送水口金、吸引口金等は、内視鏡用コネクタの軸の長手方向の断面及び長手方向に垂直な方向の断面で、それぞれの口金が同一断面上にないため、内視鏡用コネクタの小型化が可能となる。
【０２３５】
３３．付記３２において、上記吸引口金と上記送気口金及びまたは上記送水口金は略対向する位置に設けたことを特徴とする内視鏡用コネクタ。
上記吸引口金と上記送気口金、上記送水口金は対向して組み付けられているので、内視鏡用コネクタは大型化しない。
３４．付記３２において、内視鏡用コネクタを光源装置に装着した時、アース端子は光源装置設置面に略平行なコネクタの水平軸より上側に設けられていることを特徴とする内視鏡用コネクタ。
内視鏡用コネクタ装着時、アース端子は光源装置接地面に略平行な内視鏡コネクタの水平軸より上側に設けられているので、高周波焼灼装置の内視鏡用のコネクタの装着がしやすくなる。
【０２３６】
３５．送気口金及び送水口金を具備するコネクタと、
内視鏡先端部のレンズ洗滌等するための液体が注入された送水タンクと、
一端が上記送気口金に着脱自在に接続され、他端が上記送水タンク内の空間に開口する送気管路と、
一端が上記送水口金に着脱自在に接続され、他端が上記送水タンク内の液中に開口する送水管路を備える連結チューブとを有する内視鏡装置において、
上記連結チューブを上記送気口金及び上記送水口金に接続した状態から連結チューブを取り外す際、上記送気管路の一端が上記送気口金から取り外した状態で上記送水口金と、上記送水管路の一端とを接続状態に保持する、第１の保持手段を有すると共に、
上記連結チューブを、上記送気口金及び上記送水口金へ装着する際、
上記送水口金の一端が上記送水管路へ嵌挿した状態で、上記送気口金を上記送気管路に未接続の状態に保持する第２の保持手段を有することを特徴とする内視鏡。
連結チューブを外す動作を規制する部材と、連結チューブの装着時に装着動作を規制する部材とを設けることにより、送水タンク内の液体が噴出せず、また送気口金によって連結チューブは削られなくなる。
【０２３７】
３６．付記３５の第１の保持手段と上記第２の保持手段とを送水口金に一体に設けたことを特徴とする内視鏡。
第１の保持手段と第２の保持手段は送水口金に一体に設けられているので、部品点数削減となる。
３７．付記３６の第１の保持手段は、上記送水口金の上端側に上記送水口金の軸に対して略垂直に、かつ対向する位置に第１、第２の凸状のフランジからなると共に、第２の保持手段は第１の保持手段の下端側に第１の保持手段と略垂直方向に対向する第３、第４の凸状フランジから構成されていることを特徴とする内視鏡。
第１の保持手段及び第２の保持手段は第１から第４の凸状フランジで形成することにより、ゴミが溜まりにくくなる。
【０２３８】
３８．付記３７の第１の保持手段の第１、第２の凸状フランジの幅は上記第２の保持手段の第３、第４の凸状フランジの幅より狭いことを特徴とする内視鏡。
第１の保持手段の第１，第２の凸状フランジの幅の方が第２の保持手段の第３，第４の凸状フランジの幅より狭いので、連結チューブの装着が容易になる。
【０２３９】
３９．送気口金、および送水口金を具備する内視鏡用コネクタと、
内視鏡先端部のレンズ洗滌等のための液体が注入された送水タンクと、
一端に上記送水口金に着脱自在に第１の把持部を有し、他端は上記送水タンク内の液中に開口端を有する送水管路と、
一端に上記送気口金に着脱自在に第２の把持部を有し、他端は上記送水タンク内の空間に開口端を有する送気管路を具備している内視鏡用送気送水装置において、
上記第２の側把持部に、上記第１の把持部を被覆するカバー部材を設けたことを特徴とする内視鏡用送気送水装置。
送気管路のカバー部材により、第１の把持部を覆っているので両者を取り外す順序は、おのずと送気管路を外してから送水管路を外す順序により、送水タンク内の加圧空気が放出してから、送水管路を外すので、送水タンク内の液体が噴出せず、キーボードや床を濡らすことがなくなる。
【０２４０】
４０．付記３９における上記カバー部材は、弾性体で成形されたことを特徴とする内視鏡用送気送水装置。
一般的な材質で成形することができる効果がある（付記４１〜４３も同様）。
４１．付記４０における上記カバー部材の材質は、シリコンゴム、フッ素ゴム等としたことを特徴とする内視鏡用送気送水装置。
４２．付記３９における上記カバー部材は、硬質部材で成形されたことを特徴とする内視鏡用送気送水装置。
４３．付記４２の上記カバー部材はプラスチックスで成形され、プラスチックス材料としてポリサルフォン、変性ＰＰＯ等としたことを特徴とする内視鏡用送気送水装置。
【０２４１】
４４．付記３９における上記カバー部材は、少なくとも上記第１の把持部を覆うことを特徴とする内視鏡用送気送水装置。
取り外しの際、第１の把持部を把持することが不可能となり、送気管路を先に外すことになる。すると、送水タンク内は減圧し、送水タンク内の液体が噴出することはなく、床やキーボードを濡らすことを防止できる。
４５．付記３９における上記カバー部材は第１の把持部をカバー内に挿入するためのスリットまたは切り欠き部を有していることを特徴とする内視鏡用送気送水装置。
【０２４２】
４６．内視鏡の防水を必要とする部位に装着されて、この部位の防水を行う内視鏡用防水キャップにおいて、
上記防水キャップの装着側開口端に水密手段を設けたことを特徴とする
内視鏡用防水キャップ。
防水キャップを電気コネクタ部に装着すると、防水キャップに設けたパッキンが電気コネクタ部に接触すると裾野状に広がり、防水キャップと電気コネクタ部との間の溝部が形成されず、またパッキン外周面に付着した洗浄液を拭き取りやすくなるという効果がある。
【０２４３】
４７．付記４６の上記水密手段は、弾性部材よりなることを特徴とする内視鏡用防水キャップ。
４８．付記４７の弾性部材の材質のシリコンゴム、フッ素ゴム等としたことを特徴とする内視鏡用防水キャップ。
【０２４４】
【発明の効果】
以上説明したように本発明によれば、信号ケーブルへのノイズの侵入を低減化し、撮像素子により得られる撮像信号のＳ／Ｎを向上でき、且つ周囲への放射ノイズを低減化して誤動作の発生を抑制できる。
【図面の簡単な説明】
【図１】第１実施例を備えた内視鏡装置の全体構成図。
【図２】コネクタにおける信号接点を含む構造を示す断面図。
【図３】コネクタにおけるライトガイドを含む構造を示す断面図。
【図４】コネクタの一部を切り欠いて送気口金部分の構造を示す側面図。
【図５】コネクタにおける電気接点付近の構造を示す断面図。
【図６】コネクタを切り欠いて接続部内の信号ケーブル付近の構造を示す側面図。
【図７】図６と同様に接続部内の信号ケーブル付近の構造を示す側面図。
【図８】連結コードの折れ止め部分の構造を示す断面図。
【図９】接続部の構造を示す断面図。
【図１０】ベースの形状を示す斜視図。
【図１１】第２ブロックの一部を切り欠いて示す図。
【図１２】シールド板の形状を示す図。
【図１３】コネクタにおけるアース端子付近と送気口金付近の構造を示す断面図。
【図１４】送気口金及び送気口を示す断面図。
【図１５】流入防止板を示す図。
【図１６】連結チューブの端面を示す図。
【図１７】図１６を９０°回転した状態の図。
【図１８】連結チューブの装着する途中での端部付近の構造を示す断面図。
【図１９】連結チューブの装着する途中での端部付近の構造を示す断面図。
【図２０】連結チューブにおける装着された状態での端部付近の構造を示す断面図。
【図２１】連結チューブにおける装着を解除する途中での端部付近の構造を示す断面図。
【図２２】信号ケーブルが通された状態のフェライトコアの概略断面図。
【図２３】図２２の変形例における信号ケーブルが通された状態のフェライトコアの概略断面図。
【図２４】図２２のさらに他の変形例の概略断面図。
【図２５】光源装置にコネクタが装着された様子を示す図。
【図２６】連結チューブの端部を示す図。
【図２７】連結チューブの他の構成例を示す図。
【図２８】図２７の他の構成例を示す図。
【図２９】図２７又は図２８のＡ−Ａ，Ｂ−Ｂ，Ｃ−Ｃ断面図。
【図３０】防水キャップの構造を示す断面図。
【図３１】防水キャップのカム本体に設けた係止機構を示す図。
【図３２】第２本体ブロックと接続部との固定機構部分を示す断面図。
【図３３】コネクタにおける電気コネクタ部と防水キャップを示す図。
【図３４】コネクタの送水口金付近に突出部が設けてあることを示す図。
【図３５】電気コネクタ部に取り付けられるパッキンを示す図。
【図３６】コネクタへの防水キャップを取り付ける場合の取付例を示す図。
【図３７】第２実施例におけるコネクタの一部を切り欠いて接続部付近を示す図。
【図３８】第３実施例におけるコネクタの一部を切り欠いて接続部付近を示す図。
【図３９】金属板の固定手段を含む接続部を示す断面図。
【図４０】金属板の形状を示す図。
【図４１】金属板の固定手段を示す図。
【図４２】金属板の固定手段を含む接続部を示す断面図。
【図４３】第４実施例における金属板の固定手段及び接続部を示す図。
【図４４】金属板の固定手段及び接続部を示す図。
【図４５】金属板の固定手段及び接続部を示す図。
【図４６】第５実施例における金属板の固定手段を含む接続部を示す断面図。
【図４７】金属板の固定手段を含む接続部を示す断面図。
【図４８】金属板の固定手段を含む接続部を示す断面図。
【図４９】従来例の内視鏡用コネクタを示す斜視図。
【図５０】図４９の縦断面図。
【図５１】図５０のＸ−Ｘ，Ｚ−Ｚ断面図。
【図５２】従来例の連結チューブの構造を示す断面図。
【図５３】従来例の防水キャップの構造を示す断面図。
【図５４】他の従来例の防水キャップの構造を示す断面図。
【図５５】従来例におけるフェライトコアの固定手段を示す図。
【符号の説明】
１…（内視鏡用）コネクタ
２…電子内視鏡
３…挿入部
４…操作部
５…連結コード
６…湾曲部
７…先端硬質部
９…送気送水バルブ
１０…内視鏡装置
１３…アース端子
１５…送気口金
１６…送水口金
１８…電気接点
１９…ライトガイドの端部
２０…光源装置
２１…コネクタ受け
２２…電気コネクタ部
２３…接続コード
２４…ビデオプロセッサ
２５…モニタ
２６…流体口金
３０…フェライトコア
３１…コネクタケース
３２…第１開口部
３３…第２開口部
３４…第３開口部
３５…ベース
３６…第１本体ブロック
３７…第２本体ブロック
３９…シールド板
４２…ベース本体
４７…口金固定板
４９、５４…電線
５３…シールド筒
９３…連結部
９７…信号ケーブル
９８、１６１…熱収縮チューブ
【図１】
0003681781.tif 000002
【図２】
0003681781.tif 000003
【図３】
0003681781.tif 000004
【図４】
0003681781.tif 000005
【図５】
0003681781.tif 000006
【図６】
0003681781.tif 000007
【図７】
0003681781.tif 000008
【図８】
0003681781.tif 000009
【図９】
0003681781.tif 000010
【図１０】
0003681781.tif 000011
【図１１】
0003681781.tif 000012
【図１２】
0003681781.tif 000013
【図１３】
0003681781.tif 000014
【図１４】
0003681781.tif 000015
【図１５】
0003681781.tif 000016
【図１６】
0003681781.tif 000017
【図１７】
0003681781.tif 000018
【図１８】
0003681781.tif 000019
【図１９】
0003681781.tif 000020
【図２０】
0003681781.tif 000021
【図２１】
0003681781.tif 000022
【図２２】
0003681781.tif 000023
【図２３】
0003681781.tif 000024
【図２４】
0003681781.tif 000025
【図２５】
0003681781.tif 000026
【図２６】
0003681781.tif 000027
【図２７】
0003681781.tif 000028
【図２８】
0003681781.tif 000029
【図２９】
0003681781.tif 000030
【図３０】
0003681781.tif 000031
【図３１】
0003681781.tif 000032
【図３２】
0003681781.tif 000033
【図３３】
0003681781.tif 000034
【図３４】
0003681781.tif 000035
【図３５】
0003681781.tif 000036
【図３６】
0003681781.tif 000037
【図３７】
0003681781.tif 000038
【図３８】
0003681781.tif 000039
【図３９】
0003681781.tif 000040
【図４０】
0003681781.tif 000041
【図４１】
0003681781.tif 000042
【図４２】
0003681781.tif 000043
【図４３】
0003681781.tif 000044
【図４４】
0003681781.tif 000045
【図４５】
0003681781.tif 000046
【図４６】
0003681781.tif 000047
【図４７】
0003681781.tif 000048
【図４８】
0003681781.tif 000049
【図４９】
0003681781.tif 000050
【図５０】
0003681781.tif 000051
【図５１】
0003681781.tif 000052
【図５２】
0003681781.tif 000053
【図５３】
0003681781.tif 000054
【図５４】
0003681781.tif 000055
【図５５】
0003681781.tif 000056